(57)【要約】管理対象の物品の集合体５０として、物品を収納したダンボール箱３１、３２、・・・、４２に参列したＲＦＩＤタグ１、２、・・・、１２それぞれに、連番となるシリアル番号とＲＦＩＤタグの少なくとも１つに、物品の管理対象となる物品の総数を算出可能なフラグが記録される。例えば、シリアル番号を１から始まる連番とし、すべてのＲＦＩＤタグのフラグに物品の総数が記録されるか、あるいは、最後のＲＦＩＤタグのフラグに最後を示すエンドフラグが記録される。シリアル番号を任意の番号で始まる連番とし、最初のＲＦＩＤタグのフラグには最初を示すスタートフラグが、最後のＲＦＩＤタグのフラグには最後を示すエンドフラグが記録されるか、または、最後のＲＦＩＤタグのフラグには総数が記録される。
2007114520.tif 000002
【特許請求の範囲】
【請求項１】
添付対象ごとに添付した電子タグを用いて前記添付対象を管理する電子タグ添付対象管理システムにおいて、前記電子タグそれぞれに連続する番号となるシリアル番号を記録するとともに、前記電子タグの少なくとも１つに、前記添付対象の総数を算出可能なフラグを記録するデータ書き込み装置を備えていることを特徴とする電子タグ添付対象管理システム。
【請求項２】
前記データ書き込み装置が、ハンディ型電子タグリーダ・ライタであることを特徴とする請求項１に記載の電子タグ添付対象管理システム。
【請求項３】
前記データ書き込み装置が、少なくとも１つのアンテナを介して送受信される無線電波を制御する電子タグリーダ・ライタであり、前記少なくとも１つのアンテナが、前記添付対象に添付する電子タグにデータを記録するために、前記添付対象を通過させるゲート機構のアームに上下および／または左右に摺動可能に取り付けられていることを特徴とする請求項１に記載の電子タグ添付対象管理システム。
【請求項４】
前記データ書き込み装置にて前記電子タグに記録された前記シリアル番号と前記フラグとを読み取ることによって、前記添付対象の総数、前記シリアル番号に該当する各添付対象が特定されることを特徴とする請求項１〜３のいずれかに記載の電子タグ添付対象管理システム。
【請求項５】
前記データ書き込み装置にて前記電子タグに記録されたデータを読み取ることができなかった電子タグが存在していた場合であっても、読み取ることができた前記電子タグに記録された前記シリアル番号と前記フラグとに基づいて前記添付対象の総数を特定することができることを特徴とする請求項４に記載の電子タグ添付対象管理システム。
【請求項６】
前記データ書き込み装置にて前記電子タグに記録されたデータを読み取ることができなかった電子タグが存在していた場合であっても、読み取ることができた前記電子タグに記録された前記シリアル番号と前記フラグとに基づいて、読み取ることができなかった電子タグの個数を特定することができることを特徴とする請求項４または５に記載の電子タグ添付対象管理システム。
【請求項７】
前記データ書き込み装置にて前記電子タグに記録されたデータを読み取ることができなかった電子タグが存在していた場合であっても、読み取ることができた前記電子タグに記録された前記シリアル番号と前記フラグとに基づいて、読み取ることができなかった電子タグに該当する添付対象を特定することができることを特徴とする請求項４〜６のいずれかに記載の電子タグ添付対象管理システム。
【請求項８】
前記少なくとも１つのアンテナを介して送受信される無線電波を制御する電子タグリーダ・ライタを有し、前記少なくとも１つのアンテナが、前記添付対象の管理を行うために、該添付対象を通過させるゲート機構のアームに取り付けられていることを特徴とする請求項４〜７のいずれかに記載の電子タグ添付対象管理システム。
【請求項９】
前記シリアル番号として、１から始まる連続番号が順番に各前記電子タグごとに記録され、前記フラグとして、前記添付対象の総数をすべての前記電子タグに記録されることを特徴とする請求項１〜８のいずれかに記載の電子タグ添付対象管理システム。
【請求項１０】
前記シリアル番号として、任意の番号から始まる連続番号が順番に各前記電子タグごとに記録され、前記フラグとして、前記添付対象のうち、最初の添付対象に添付する電子タグに最初を示すスタートフラグが記録され、最後の添付対象に添付する電子タグに最後を示すエンドフラグが記録されることを特徴とする請求項１〜８のいずれかに記載の電子タグ添付対象管理システム。
【請求項１１】
前記シリアル番号として、任意の番号から始まる連続番号が順番に各前記電子タグごとに記録され、前記フラグとして、前記添付対象のうち、最後の添付対象に添付する電子タグに添付対象の総数が記録されることを特徴とする請求項１〜８のいずれかに記載の電子タグ添付対象管理システム。
【請求項１２】
前記シリアル番号として、１から始まる連続番号が順番に各前記電子タグごとに記録され、前記フラグとして、前記添付対象のうち、最後の添付対象に添付する電子タグに最後を示すエンドフラグが記録されることを特徴とする請求項１〜８のいずれかに記載の電子タグ添付対象管理システム。
【請求項１３】
前記シリアル番号として、前記添付対象それぞれが存在している行または列ごとに、連続する番号が順番に前記電子タグごとに記録され、前記フラグとして、前期添付対象それぞれが存在している行または列を特定することができる行番号または列番号がさらに記録されることを特徴とする請求項９〜１２のいずれかに記載の電子タグ添付対象管理システム。
【請求項１４】
添付対象ごとに添付した電子タグを用いて前記添付対象を管理する電子タグ添付対象管理システムにおいて、
第１の読み落とし防止情報を生成し前記電子タグに記憶させる手段と、
前記電子タグから読み出した前記第１の読み落とし防止情報と、前記電子タグから読み出した情報から生成する第２の読み落とし防止情報を比較することにより、読み落としの判別をする手段と、
を備えたデータ書き込み装置を備えることを特徴とする電子タグ添付対象管理システム。
【請求項１５】
データ書き込み装置が、
第１の読み落とし防止情報を生成し前記電子タグに記憶させる手段と、
前記電子タグから読み出した前記第１の読み落とし防止情報と、前記電子タグから読み出した情報から生成する第２の読み落とし防止情報を比較することにより、読み落としの判別をする手段
を備えることを特徴とする請求項１乃至３いずれか１項に記載の電子タグ添付対象管理システム。
【請求項１６】
前記読み落とし防止情報は、電子タグから読み出した情報からハッシュアルゴリズムで作成したハッシュデータであることを特徴とする請求項１４乃至１５いずれか１項に記載の電子タグ添付対象管理システム。
【請求項１７】
物品ごとに添付したＲＦＩＤタグを用いて物品を管理する物品管理システムにおいて、前記ＲＦＩＤタグそれぞれに連続する番号となるシリアル番号を記録するとともに、前記ＲＦＩＤタグの少なくとも１つに、物品の管理対象となる物品の総数を算出可能なフラグを記録するデータ書き込み装置を備えていることを特徴とする物品管理システム。
【請求項１８】
前記データ書き込み装置が、ハンディ型ＲＦＩＤタグリーダ・ライタであることを特徴とする請求項１７に記載の物品管理システム。
【請求項１９】
前記データ書き込み装置が、少なくとも１つのアンテナを介して送受信される無線電波を制御するＲＦＩＤタグリーダ・ライタであり、前記少なくとも１つのアンテナが、管理対象の物品に添付するＲＦＩＤタグにデータを記録するために、該物品を通過させるゲート機構のアームに上下および／または左右に摺動可能に取り付けられていることを特徴とする請求項１７に記載の物品管理システム。
【請求項２０】
前記データ書き込み装置にて前記ＲＦＩＤタグに記録された前記シリアル番号と前記フラグとを読み取ることによって、管理対象とする物品の総数、前記シリアル番号に該当する各物品を特定することができることを特徴とする請求項１７〜１９のいずれかに記載の物品管理システム。
【請求項２１】
前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、管理対象とする物品の総数が特定されることを特徴とする請求項２０に記載の物品管理システム。
【請求項２２】
前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグの個数が特定されることを特徴とする請求項２０または２１に記載の物品管理システム。
【請求項２３】
前記物品検品装置において、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグに該当する物品が特定されることを特徴とする請求項２０〜２２のいずれかに記載の物品管理システム。
【請求項２４】
少なくとも１つのアンテナを介して送受信される無線電波を制御するＲＦＩＤタグリーダ・ライタを有し、前記少なくとも１つのアンテナが、管理対象の物品の検品を行うために、該物品を通過させるゲート機構のアームに取り付けられていることを特徴とする請求項２０〜２３のいずれかに記載の物品管理システム。
【請求項２５】
前記シリアル番号として、１から始まる連続番号が順番に各前記ＲＦＩＤタグごとに記録され、前記フラグとして、管理対象の物品の総数がすべての前記ＲＦＩＤタグに記録されることを特徴とする請求項１７〜２４のいずれかに記載の物品管理システム。
【請求項２６】
前記シリアル番号として、任意の番号から始まる連続番号が順番に各前記ＲＦＩＤタグごとに記録され、前記フラグとして、管理対象の物品のうち、最初の物品に添付するＲＦＩＤタグに最初を示すスタートフラグが記録され、最後の物品に添付するＲＦＩＤタグに最後を示すエンドフラグが記録されることを特徴とする請求項１７〜２４のいずれかに記載の物品管理システム。
【請求項２７】
前記シリアル番号として、任意の番号から始まる連続番号が順番に各前記ＲＦＩＤタグごとに記録され、前記フラグとして、管理対象の物品のうち、最後の物品に添付するＲＦＩＤタグに管理対象の物品の総数が記録されることを特徴とする請求項１７〜２４のいずれかに記載の物品管理システム。
【請求項２８】
前記シリアル番号として、１から始まる連続番号が順番に各前記ＲＦＩＤタグごとに記録され、前記フラグとして、管理対象の物品のうち、最後の物品に添付するＲＦＩＤタグに最後を示すエンドフラグが記録されることを特徴とする請求項１７〜２４のいずれかに記載の物品管理システム。
【請求項２９】
前記シリアル番号として、管理対象の物品それぞれが存在している行または列または塊ごとに、連続する番号が順番に各前記ＲＦＩＤタグごとに記録され、前記フラグとして、管理対象の物品それぞれが存在している行または列または塊を特定することができる行番号または列番号または塊番号がさらに記録されることを特徴とする請求項２５〜２８のいずれかに記載の物品管理システム。
【請求項３０】
貸出し対象物品ごとに添付したＲＦＩＤタグを用いて貸出しを管理する貸出し管理システムにおいて、前記ＲＦＩＤタグそれぞれに連続する番号となるシリアル番号を記録するとともに、前記ＲＦＩＤタグの少なくとも１つに、管理対象となる物品の総数を算出可能なフラグを記録するデータ書き込み装置を備えていることを特徴とする貸出し管理システム。
【請求項３１】
前記シリアル番号として、任意の番号から始まる連続番号が順番に各前記ＲＦＩＤタグごとに記録され、前記フラグとして、管理対象の物品のうち、最初の物品に添付するＲＦＩＤタグに最初を示すスタートフラグが記録され、最後の物品に添付するＲＦＩＤタグに最後を示すエンドフラグが記録されることを特徴とする請求項２８に記載の貸出し管理システム。
【請求項３２】
入場者ごとに添付したＲＦＩＤタグを用いて施設における入退出を管理する入退出管理システムにおいて、前記ＲＦＩＤタグそれぞれに連続する番号となるシリアル番号を記録するとともに、管理対象となる物品の総数を算出可能なフラグを記録するデータ書き込み装置を備えていることを特徴とする入退出管理システム。
【請求項３３】
前記シリアル番号として、任意の番号から始まる連続番号が順番に各前記ＲＦＩＤタグごとに記録され、前記フラグとして、管理対象者のうち、最初の入場者に添付するＲＦＩＤタグに最初を示すスタートフラグが記録され、最後の入場者に添付するＲＦＩＤタグに最後を示すエンドフラグが記録されることを特徴とする請求項３２に記載の入退出管理システム。
【請求項３４】
物品ごとに添付したＲＦＩＤタグを用いて物品を管理する物品管理方法において、前記ＲＦＩＤタグそれぞれに連続する番号となるシリアル番号を記録し、前記ＲＦＩＤタグの少なくとも１つに、物品の管理対象となる物品の総数を算出可能なフラグを記録することを特徴とする物品管理方法。
【請求項３５】
前記物品の検品をする際に、前記データ書き込み装置にて前記ＲＦＩＤタグに記録された前記シリアル番号と前記フラグとを読み取ることによって、管理対象とする物品の総数、前記シリアル番号に該当する各物品を特定することができることを特徴とする請求項３４に記載の物品管理方法。
【請求項３６】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、管理対象とする物品の総数を特定することができることを特徴とする請求項３５に記載の物品管理方法。
【請求項３７】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグの個数を特定することができることを特徴とする請求項３５または３６に記載の物品管理方法。
【請求項３８】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグに該当する物品を特定することができることを特徴とする請求項３５〜３７のいずれかに記載の物品管理方法。
【請求項３９】
前記シリアル番号として、１から始まる連続番号を順番に各前記ＲＦＩＤタグごとに記録し、前記フラグとして、管理対象の物品の総数をすべての前記ＲＦＩＤタグに記録することを特徴とする請求項３４〜３８のいずれかに記載の物品管理方法。
【請求項４０】
前記シリアル番号として、任意の番号から始まる連続番号を順番に各前記ＲＦＩＤタグごとに記録し、前記フラグとして、管理対象の物品のうち、最初の物品に添付するＲＦＩＤタグに最初を示すスタートフラグを、最後の物品に添付するＲＦＩＤタグに最後を示すエンドフラグを記録することを特徴とする請求項３４〜３８のいずれかに記載の物品管理方法。
【請求項４１】
前記シリアル番号として、任意の番号から始まる連続番号を順番に各前記ＲＦＩＤタグごとに記録し、前記フラグとして、管理対象の物品のうち、最後の物品に添付するＲＦＩＤタグに管理対象の物品の総数を記録することを特徴とする請求項３４〜３８のいずれかに記載の物品管理方法。
【請求項４２】
前記シリアル番号として、１から始まる連続番号を順番に各前記ＲＦＩＤタグごとに記録し、前記フラグとして、管理対象の物品のうち、最後の物品に添付するＲＦＩＤタグに最後を示すエンドフラグを記録することを特徴とする請求項３４〜３８のいずれかに記載の物品管理方法。
【請求項４３】
前記シリアル番号として、管理対象の物品それぞれが存在している行または列または塊ごとに、連続する番号を順番に各前記ＲＦＩＤタグごとに記録し、前記フラグとして、さらに、管理対象の物品それぞれが存在している行または列または塊を特定することができる行番号または列番号または塊番号を記録することを特徴とする請求項３９〜４２のいずれかに記載の物品管理方法。
【請求項４４】
貸出し対象物品ごとに添付したＲＦＩＤタグを用いて貸出しを管理する貸出し管理方法において、
前記ＲＦＩＤタグそれぞれに連続する番号となるシリアル番号を記録するとともに、前記ＲＦＩＤタグの少なくとも１つに、管理対象となる物品の総数を算出可能なフラグを記録することを特徴とする貸出し管理方法。
【請求項４５】
前記シリアル番号として、任意の番号から始まる連続番号を順番に各前記ＲＦＩＤタグごとに記録し、前記フラグとして、管理対象の物品のうち、最初の物品に添付するＲＦＩＤタグに最初を示すスタートフラグを、最後の物品に添付するＲＦＩＤタグに最後を示すエンドフラグを記録することを特徴とする請求項４３に記載の貸出し管理方法。
【請求項４６】
入場者ごとに添付したＲＦＩＤタグを用いて施設における入退出を管理する入退出管理方法において、
前記ＲＦＩＤタグそれぞれに連続する番号となるシリアル番号を記録するとともに、管理対象となる物品の総数を算出可能なフラグを記録することを特徴とする入退出管理方法。
【請求項４７】
前記シリアル番号として、任意の番号から始まる連続番号を順番に各前記ＲＦＩＤタグごとに記録し、前記フラグとして、管理対象者のうち、最初の入場者に添付するＲＦＩＤタグに最初を示すスタートフラグを、最後の入場者に添付するＲＦＩＤタグに最後を示すエンドフラグを記録することを特徴とする請求項４６に記載の入退出管理方法。
【請求項４８】
読み落とし防止情報を生成する第１のステップと、
前記生成した読み落とし防止情報を検品対象物に取り付けられたＲＦＩＤタグに記憶させる第２のステップと、
同一ロットに属する全てのタグＩＤと前記記憶された読み落とし防止情報のペアをロットごとに取得する第３のステップと、
前記取得した全てのタグＩＤと前記取得された読み落とし防止情報のペアを要素とする第１のリストを作成する第４のステップと、
前記第１のリストから読み落とし防止情報を一つ取得する第５のステップと、
当該取得した読み落とし防止情報と同一の読み落とし防止情報を持つ要素を前記第１のリストから抽出し、抽出した読み落とし防止情報とペアであるタグＩＤを要素とする第２のリストを作成する第６のステップと、
前記第２のリストを基に読み落とし防止情報を算出する第７のステップと、
前記取得された読み落とし防止情報と前記算出された読み落とし防止情報を比較照合し、同じであれば第２のリストに記憶されたタグ、割り当てられたロットの物品が全て揃っていると判断する第８のステップ
を有することを特徴とする読み落とし防止方法。
【請求項４９】
前記第５のステップから前記第８のステップまでの処理を、前記第１のリストに格納されている要素が全てなくなるまで繰り返し行なうことを特徴とする請求項４８記載の読み落とし防止方法。
【請求項５０】
所定数の単位で使用される電子タグであって、前記電子タグが前記所定数存在するか否かを識別する第１の情報を保持する第１の記憶部を有することを特徴とする電子タグ。
【請求項５１】
第１の情報は所定数の電子タグのＩＤから生成したハッシュデータであることを特徴とする請求項５０記載の電子タグ。
【請求項５２】
電子タグを識別する第２の情報を保持する第２の記憶部を更に有することを特徴とする請求項５０記載の電子タグ。
【請求項５３】
第２の情報は所定数の電子タグの各々に設定される所定の番号から始まる連続番号であり、第１の情報は前記所定数であることを特徴とする請求項５２記載の電子タグ。
【請求項５４】
第２の情報は所定数の電子タグの各々に設定される所定の番号から始まる連続番号であり、前記所定数の電子タグの最後の電子タグの前記第１の情報がエンドフラグであることを特徴とする請求項５２記載の電子タグ。
【請求項５５】
第２の情報は所定数の電子タグの各々に設定される任意の番号から始まる連続番号であり、前記所定数の電子タグの最初の電子タグの第１の情報がスタートフラグであり、最後の電子タグの前記第１の情報がエンドフラグであることを特徴とする請求項５２記載の電子タグ。
【請求項５６】
第２の情報は所定数の電子タグの各々に設定される任意の番号から始まる連続番号であり、前記所定数の電子タグの最後の電子タグの第１の情報が所定数であることを特徴とする請求項５２記載の電子タグ。
【請求項５７】
第２の情報は所定数の電子タグの添付対象が存在する行または列ごとの連続番号であり、第１の情報は前記所定数の電子タグの添付対象が存在する行または列を識別する情報であることを特徴とする請求項５２記載の電子タグ。
【請求項５８】
所定数の電子タグのＩＤから生成したハッシュ値を記憶する第３の記憶部を有することを特徴とする請求項５３〜５７いずれか１項に記載の電子タグ。
【発明の詳細な説明】
【技術分野】
【０００１】
本発明は、電子タグ添付対象管理システム、物品管理システム、貸出し管理システム、入退出管理システム、管理方法、及び電子タグに関し、特に、物品、施設入退出における人数、物品の貸出／返却等の管理のためのＲＦＩＤ（Ｒａｄｉｏ  Ｆｒｅｑｕｅｎｃｙ  Ｉｄｅｎｔｉｆｉｃａｔｉｏｎ）タグの読み取り確認が可能な電子タグ添付対象管理システム、物品管理システム、貸出し管理システム、入退出管理システム、管理方法、及び電子タグに関する。例えば、部品製造から装置組立てまでの物流管理、物品の入出荷管理、物品倉庫の在庫管理、物品の卸・小売までの物流チェーンにおける入出荷検品作業のすべてに好適に適用することができる。
【背景技術】
【０００２】
近年、物品の入出荷や搬送などの物流管理のために、２次元バーコードやＲＦＩＤタグを用いる場合が増加してきている。例えば、先行技術文献１（特開２００２−０８７５３２号公報（第４−７頁））においては、書き換え可能なデータキャリアの表面に、物品情報、出荷情報などを２次元バーコードとして書き込むと同時に、データキャリア中に存在するＲＦＩＤタグにも同じ情報を書き込むようにしている。物品を収納したコンテナにこのデータキャリアを添付し、物品の入出荷時に、データキャリアの表面の２次元バーコードを読み取って物品を確認する。２次元バーコードが読めない場合は、ＲＦＩＤタグを読むようにしている。
【発明の開示】
【発明が解決しようとする課題】
【０００３】
物品の物流管理など、物品管理分野においては、複数の物品がすべて入荷または出荷されたか、あるいは、必要な数量の物品の在庫があるか否かを一度に確認するような一括検品を行いたいという要望が強い。ここで、複数の物品を一度に入出荷管理するような物流分野への適用を考えた場合、バーコードタグを適用する形態では、バーコードリーダを各バーコードタグの近傍に近接配置する必要があり、一括管理用として実施することができない。一方、ＲＦＩＤタグは、無線電波を利用するものであり、ある程度の範囲内に配置されているリーダ・ライタであれば、各ＲＦＩＤタグから送信される無線電波を一括して受信することが可能である。したがって、複数の物品それぞれにＲＦＩＤタグを添付して、一度に複数の物品のＲＦＩＤタグを読み取り、複数の物品がすべて入荷または出荷されているか否かを確認することが可能である。
しかしながら、複数の物品の数が、あらかじめ分からないと、ＲＦＩＤタグを読み取ることができなかった物品がある場合には、読まなかったこと自体が分からず、読まれた物品のみが検品され、検品作業が不完全となってしまう。このため、一括検品に適用する場合は、ＲＦＩＤタグの読み取り誤りがなく、かつ、読み取り精度が１００％でなければ、使用することができなかった。
すなわち、総数が分からない複数の物品それぞれにＲＦＩＤタグが添付されている状態で、例えば、複数の物品が一括して入荷されてきたときに、ゲートシステム（ゲート機構）等で、一度に同時に、複数のＲＦＩＤタグを読み取って、一括検品を行う場合、読めないＲＦＩＤタグがあっても、読めなかったこと自体がわからないので、入荷検品が正確に行われない。入荷検品を正確に行うには、常に、読み取り精度を１００％にしなければならないため、ゲートシステムの代わりに、ハンディ型リーダ・ライタで読まなければならず、バーコードの場合と読み取り時間が余り変わらなくなってしまい、一括管理には不適当となってしまう。
このため、もし、ＲＦＩＤタグの読み取り精度が１００％未満であるならば、事前に出荷データや入荷データを送品リストとして用意し、毎回、一括検品作業ごとに、事前に用意した出荷データや入荷データと比較して、検品された複数の物品の数を確認しなければならない。例えば、入荷検品を行うためにゲートシステムを使用する場合、事前に送品リストを入手しておき、ゲートシステムで全部読み取ることができたのか否かを、毎回、送品リストと比較して確認する必要がある。そのために、無駄な時間を要してしまう。
あるいは、出荷データや入荷データが事前に入手できないような場合は、物品に添付されたＲＦＩＤタグ以外に、物品を積載するパレットなどに別のＲＦＩＤタグを添付し、ハンディ型リーダ・ライタなどで必ずそれを読んで、パレット上に載っている物品の数を確認してから、一括検品作業をする必要がある。すなわち、パレット上に複数の物品を載せた場合、その総数を別のＲＦＩＤタグに書き込み、そのＲＦＩＤタグをパレットに添付するようにし、物品の受入側で、一括検品をする前に、最初に、パレットに添付されたＲＦＩＤタグをハンディ型リーダ・ライタで読むようにする必要がある。しかし、このＲＦＩＤタグを読み取ることにより、物品の総数は分かるものの、物品の送り側では、余分なＲＦＩＤタグをパレットに添付しなければならないこと、物品の受入側では、毎回、ハンディ型リーダ・ライタでこのＲＦＩＤタグを読む作業が発生する。このため、作業が極めて非効率であるという問題がある。
さらには、出荷数や入荷数の分からない複数の物品それぞれに添付されている複数のＲＦＩＤタグを読んで、一括検品を行おうとしても、読めなかったＲＦＩＤタグが存在しているか否かということが不明である。また、ＲＦＩＤタグが読めなかった場合、どこの位置にあるＲＦＩＤタグが読めなかったのかを知ることができない。
また、工具、医療器具等の設備品の貸出しするサービスにおいて、貸出し対象備品として例えば工具一式を貸出した後、返却時に貸出した工具一式全てのチェックは、通常貸出し時にＰＣに登録された貸出し対象備品のデータと返却された工具を見ながら手作業で確認している。しかし、手作業のため登録漏れ、確認漏れ等が多々あり正確な確認ができないことが多い。
また、幼稚園、保育園等の児童教育機関や老人ホーム等の集団での入退出、点呼管理する場合、通常集団管理対象者（例えば、幼稚園の場合には保育士）が点呼をとることにより人数確認を行なっている。しかし、この人数確認作業は集団管理対象者の点呼により行なわれるため、確認漏れ等のミスがある場合もあり正確な確認ができないことが多い。
また、検品作業に上記ＲＦＩＤタグを利用する際、ＲＦＩＤタグのＩＤを取得することにより、一括検品が可能となるが、全てのＲＦＩＤタグのＩＤを１００％取得できるとは限らない。また、一般に検品を行う物品には送付店舗ごとや製品種類ごとに分けられた複数のロットが存在する。
仮に、読み落しが発生した際に検品作業者はどのロットの物品に取り付けられたＲＦＩＤタグが読み落とされているかを知ることができれば、読み落としの発生したロットの物品だけを残すことによりコリジョンをおさえた環境での再検品が可能になる。また、物品に取り付けられた全ＲＦＩＤタグが確認できたロットについては検品を終了することで、検品作業の効率化を図ることが可能である。
しかし、従来はロット単位での読み落としの判別ができなかったため、読み落としが発生した場合、再度全体に対してＩＤの取得を行う必要があった。
本発明は、かかる事情に鑑みてなされたものであり、物品、貸出し対象備品、施設利用者等に添付されている総数の分からない複数のＲＦＩＤタグを、一度に、同時に読み込むＲＦＩＤタグ一括読み取りシステムとして、ＲＦＩＤタグに書き込むデータを一定の約束で書き込み、前記物品等の確認のために読み込んだＲＦＩＤタグのデータから、検品総数、貸出し対象備品総数、施設利用者人数、および読み取れなかったＲＦＩＤタグのシリアル番号を特定し、もって、該当する物品等を特定可能とする電子タグ添付対象管理システム、物品管理システム、貸出し管理システム、入退出管理システム、管理方法、及び電子タグを提供することを目的としている。
【課題を解決するための手段】
【０００４】
前述の課題を解決するため、本発明は、以下のような構成を採用している。
本発明の第１の態様に係る電子タグ添付対象管理システムは、添付対象ごとに添付した電子タグを用いて前記添付対象を管理する電子タグ添付対象管理システムにおいて、前記電子タグそれぞれに連続する番号となるシリアル番号を記録するとともに、前記電子タグの少なくとも１つに、前記添付対象の総数を算出可能なフラグを記録するデータ書き込み装置を備えていることを特徴とする。
本発明の第２の態様に係る物品管理システムは、物品ごとに添付したＲＦＩＤタグを用いて物品を管理する物品管理システムであって、前記ＲＦＩＤタグそれぞれに連続する番号となるシリアル番号を記録するとともに、前記ＲＦＩＤタグの少なくとも１つに、物品の管理対象となる物品の総数を算出可能なフラグを記録するデータ書き込み装置を備えていることを特徴とする。
本発明の第３の態様に係る物品管理方法は、物品ごとに添付したＲＦＩＤタグを用いて物品を管理する物品管理方法であって、前記ＲＦＩＤタグそれぞれに連続する番号となるシリアル番号を記録するとともに、前記ＲＦＩＤタグの少なくとも１つに、物品の管理対象となる物品の総数を算出可能なフラグを記録することを特徴とする。
本発明の第４の態様に係る貸出し管理方法は、貸出し対象物品ごとに添付したＲＦＩＤタグを用いて貸出しを管理する貸出し管理方法であって、前記ＲＦＩＤタグそれぞれに連続する番号となるシリアル番号を記録するとともに、前記ＲＦＩＤタグの少なくとも１つに、管理対象となる物品の総数を算出可能なフラグを記録することを特徴とする。
本発明の第５の態様に係る入退出管理方法は、入場者ごとに添付したＲＦＩＤタグを用いて施設における入退出を管理する方法であって、前記ＲＦＩＤタグそれぞれに連続する番号となるシリアル番号を記録するとともに、管理対象となる物品の総数を算出可能なフラグを記録することを特徴とする。
本発明の第６の態様に係る読み落とし防止方法は、読み落とし防止情報を生成する第１のステップと、前記生成した読み落とし防止情報を検品対象物に取り付けられたＲＦＩＤタグに記憶させる第２のステップと、同一ロットに属する全てのタグＩＤと前記記憶された読み落とし防止情報のペアをロットごとに取得する第３のステップと、前記取得した全てのタグＩＤと前記取得された読み落とし防止情報のペアを要素とする第１のリストを作成する第４のステップと、前記第１のリストから読み落とし防止情報を一つ取得する第５のステップと、当該取得した読み落とし防止情報と同一の読み落とし防止情報を持つ要素を前記第１のリストから抽出し、抽出した読み落とし防止情報とペアであるタグＩＤを要素とする第２のリストを作成する第６のステップと、前記第２のリストを基に読み落とし防止情報を算出する第７のステップと、前記取得された読み落とし防止情報と前記算出された読み落とし防止情報を比較照合し、同じであれば第１のリストに記憶されたタグ、割り当てられたロットの物品が全て揃っていると判断する第８のステップを有することを特徴とする。
本発明の第７の態様に係る電子タグは、所定数の単位で使用される電子タグであって、前記電子タグが前記所定数存在するか否かを識別する第１の情報を保持する第１の記憶部を有することを特徴とする。
【発明の効果】
【０００５】
本発明によれば、複数の物品の集合体の一括検品において、物品の受け入れ側では、該集合体に含まれる複数の物品の総数が不明なときであっても、物品の発送側から送品伝票等を入手する必要はなく、ＲＦＩＤタグを読み取ることによって、受け入れた物品の総数が分かる。その理由は、読み込んだＲＦＩＤタグに、物品の総数を算出することができる情報が記録されているからである。
また、本発明によれば、物品の一括検品の際に、送品伝票等が無くても、読み取ることができなかったＲＦＩＤタグの数と読み取ることができなかったＲＦＩＤタグに該当する物品を特定することができる。その理由は、ＲＦＩＤタグに一連のシリアル番号が記録されているので、読み取れなかったシリアル番号から該当する欠品を特定することができるからである。
また、本発明によれば、タグにシリアル番号とフラグを記述することにより、返却時に備品格納ケースを貸出し対象備品の検品装置であるゲートに通過させることにより、貸出し対象備品が置き忘れなくすべて揃っているかを速やかに確認できる。
また、本発明によれば、集団管理対象者が順次ゲートを通過することにより、速やかな点呼、確認が完了する。また、集団管理対象者がハンディ型のリーダライタを携行することにより、同様の機能を外出先においても実現可能である。
本発明によれば、出荷時にロット単位でＲＦＩＤタグの読み落とし防止情報記憶手段に対して読み落とし防止情報を記憶させている。この読み落とし防止情報は、同じロットに属するＲＦＩＤタグ全てのＩＤを基にしてハッシュアルゴリズムで作成したハッシュデータである。同じロットに属するＲＦＩＤタグ全てのＩＤを基にしたハッシュデータを読み落とし防止情報としてタグに記憶させることで、ロットごとの識別子として働くだけではなく、検品時に読み落とし防止情報が同じタグのＩＤを基にしてハッシュデータを作成し、比較するという手順を踏むことにより、読み落としの判別が可能となる。
【図面の簡単な説明】
【０００６】
図１は、本発明の物品管理システムにおいて一括検品する物品の集合体の様子の一例を示す概念図である。
図２は、物品の受入側において物品の集合体の一括検品を行うためのゲート型検品システムを示す概念図である。
図３は、物品の発送側において物品の集合体５０に物品管理用データを書き込むためのデータ書き込み装置を示す概念図である。
図４は、物品発送側のデータ書込み装置においてダンボール箱それぞれに添付されたＲＦＩＤタグに物品管理用として書き込むデータの一例を説明するためのテーブルである。
図５は、物品受入側の表示装置に物品検品結果として表示される一例を示す画面表示図である。
図６は、物品発送側のデータ書込み装置においてダンボール箱それぞれに添付されたＲＦＩＤタグに物品管理用として書き込むデータの異なる例を説明するためのテーブルである。
図７は、エンドフラグ（Ｅ）が記録された最後のＲＦＩＤタグを読み取ることができなかった場合の画面表示例を示す画面表示図である。
図８は、物品発送側のデータ書込み装置においてダンボール箱それぞれに添付されたＲＦＩＤタグに物品管理用として書き込むデータのさらに異なる例を説明するためのテーブルである。
図９は、物品発送側のデータ書込み装置においてダンボール箱それぞれに添付されたＲＦＩＤタグに物品管理用として書き込むデータのさらに異なる例を説明するためのテーブルである。
図１０は、エンドフラグ（Ｅ）が記録された最後のＲＦＩＤタグを読み取ることができなかった場合の画面表示例を示す画面表示図である。
図１１は、工具、医療器具等の設備品の貸出しにおける貸出し管理システムの構成を示す図である。
図１２は、返却時に備品格納ケースをゲート通過させる状態を示した図である。
図１３は、集団での入退出を管理する入退出を管理システムの構成を示した図である。
図１４は、本発明の他の実施例に係るＲＦＩＤタグの構成を示すブロック図である。
図１５は、本発明の他の実施例に係るＲＦＩＤタグ操作装置の構成を示すブロック図である。
図１６は、出荷時にＲＦＩＤタグ操作装置の読み落とし防止情報生成手段にて行われる、読み落とし防止情報を生成してから、物品に取り付けられたＲＦＩＤタグに記憶させるまでの処理ステップを示したフローチャートである。
図１７は、検品時にＲＦＩＤタグ操作装置の読み落とし確認手段にて行われる、同一ロットの物品に取り付けられたＲＦＩＤタグの読み落としがないかを判別する処理ステップを説明するためのフローチャートである。
【発明を実施するための最良の形態】
【０００７】
以下、本発明の実施の形態を、図面を参照して説明する。
以下、本発明による物品管理システム、方法、貸出し管理システム、入退出管理システムの実施例について図面を参照して説明する。
まず、本発明の特徴について説明する。本発明は、物品の出荷、入荷、搬送、在庫管理などの際に、物品の欠品などを管理する効果的な仕組みを提供するものであり、物品にＲＦＩＤタグを添付し、対象とする物品の総数が分からなくても、複数の物品それぞれに付されているＲＦＩＤタグを、一度に、読み込むことにより、総数を把握し、欠損の有無を取得することが可能なＲＦＩＤタグ一括読み込みシステムに好適に適用できるものである。
ここで、ＲＦＩＤタグに記録するデータについては、あらかじめ定めた一定の約束の基に記録することによって、読み取ることができないＲＦＩＤタグが存在していたとしても、管理対象とする物品の総数が分かり、かつ、読み取ることができなかったＲＦＩＤタグが存在していることが分かり、かつ、読み取ることができなかったＲＦＩＤタグに該当する物品を特定することができる仕組みを提供することに、本発明の特徴がある。
次に、ＲＦＩＤタグにあらかじめ定めた一定の約束に基づいて記録するデータについて、いくつかのＲＦＩＤ記録データ例を示す。
まず、第１番目のＲＦＩＤ記録データについて説明する。ここでは、物品の発送側で、一度に検品する物品の集合体に積載する物品の総数Ｑが分かっているものとする。この場合、物品管理の対象となる物品の集合体ごとに、物品に添付されるＲＦＩＤタグに対して、以下のような約束でデータが記録される。すなわち、各物品に添付するＲＦＩＤタグには、「１」から始まる一連の連番のシリアル番号ｉが付与されるとともに、積載した総数Ｑが記録される。ここでＲＦＩＤタグに付与されるシリアル番号は「１」から始まるものに限定されず、予め定めた所定の値を用いても良い。
１個目の物品に添付のＲＦＩＤタグ：シリアル番号（１）、総数（Ｑ）
２個目の物品に添付のＲＦＩＤタグ：シリアル番号（２）、総数（Ｑ）…
Ｐ個目の物品に添付のＲＦＩＤタグ：シリアル番号（Ｐ）、総数（Ｑ）…
最後のＱ個目の物品に添付のＲＦＩＤタグ：シリアル番号（Ｑ）、総数（Ｑ）
物品の受け入れ側では、どのＲＦＩＤタグについても、総数Ｑが記録されているため、入荷総数Ｑが直ちに分かる。このため、シリアル番号ｉを確認し、シリアル番号ｉに抜けがなく最初から最後までの通し番号が得られたか否かを調べることにより、ＲＦＩＤタグを全部読むことができたのか、あるいは、いくつのＲＦＩＤタグが読み取れなかったのかが分かる。
もし、読み取れなかったＲＦＩＤタグが存在していた場合、読み取れたシリアル番号ｉを確認することにより、抜けているＲＦＩＤタグを特定することができる。例えば、Ｐ個目のＲＦＩＤタグが読み取れない場合は、シリアル番号（Ｐ）が抜けていることになる。
このＲＦＩＤ記録データの場合、例えば、関東地区から関西地区へある日時に出荷される物品の全部の総数Ｎが分かっているとする。その総数Ｎ個のうちの第１番目のパレットには、Ｑ個積載して出荷するとの指示が出され、そのパレットに搭載する総数Ｑを示すデータが、例えば無線ＬＡＮで上位コンピュータから物流担当部署のハンディ型リーダ・ライタに送信される。
次に、当該パレット上に物品を収納したダンボール箱がＱ個積載される。各ダンボール箱に１個ずつＲＦＩＤタグが添付された状態になると、各パレット上のダンボール箱に添付されたＲＦＩＤタグに端から１個ずつ「１」から順番にハンディ型リーダ・ライタで、シリアル番号ｉと総数Ｑとが書き込まれる。例えば、書き終えたＲＦＩＤタグが添付されたダンボール箱上にはマジックなどでチェック印を描くことによって、ＲＦＩＤタグへのデータの書き漏れを防止することができる。ここで、各ダンボール箱のＲＦＩＤタグにデータを書き込む順序などは特に制約がなく、パレット上の全てのダンボール箱のＲＦＩＤタグに「１」から順にシリアル番号ｉを割り振るとともに、総数Ｑをフラグとして書き込んでいけば良い。
次に、第２番目のＲＦＩＤ記録データについて説明する。ここでは、物品の発送側で、送品する物品の全総数Ｎと、分割して一度に検品する物品の集合体にそれぞれ積載する物品の総数Ｑ１、Ｑ２、…Ｑｍが分かっているものとする。この場合、物品管理の対象となる物品の集合体ごとに、物品に添付されるＲＦＩＤタグに対して、以下のような約束でデータが記録される。すなわち、各物品に添付するＲＦＩＤタグには、任意の番号「ｊ」から始まる一連の連番のシリアル番号ｉが付与される。最初のＲＦＩＤタグにはスタートフラグが、最後のＲＦＩＤタグにはエンドフラグが記録される。
１個目の物品に添付のＲＦＩＤタグ  ：シリアル番号（ｊ）、スタートフラグ（Ｓ）
２個目の物品に添付のＲＦＩＤタグ  ：シリアル番号（ｊ＋１）、フラグ（０）…
Ｐ個目の物品に添付のＲＦＩＤタグ  ：シリアル番号（ｊ＋Ｐ−１）、フラグ（０）…
最後のＱ個目の物品に添付のＲＦＩＤタグ：シリアル番号（ｊ＋Ｑ−１）、エンドフラグ（Ｅ）
物品の受け入れ側では、スタートフラグ（Ｓ）から、最初のＲＦＩＤタグのシリアル番号（ｊ）が分かり、エンドフラグ（Ｅ）から最後のＲＦＩＤタグのシリアル番号（ｊ＋Ｑ−１）が分かる。このため、入荷総数Ｑやシリアル番号ｉを確認し、シリアル番号ｉに抜けがなく、最初から最後までの通し番号が得られたか否かを調べることにより、ＲＦＩＤタグを全部読むことができたのか、あるいは、いくつのＲＦＩＤタグが読み取れなかったのかが分かる。
もし、読み取れなかったＲＦＩＤタグが存在していた場合、読み取れたシリアル番号ｉを確認することにより、抜けているＲＦＩＤタグを特定することができる。
例えば、Ｐ個目のＲＦＩＤタグが読み取れない場合は、シリアル番号（ｊ＋Ｐ−１）が抜けていることになる。このシリアル番号（ｊ＋Ｐ−１）から、スタートフラグ（Ｓ）が付いている最初のＲＦＩＤタグのシリアル番号（ｊ）を差し引き、「１」を加えることにより、Ｐ個目のＲＦＩＤタグが読み取れていないことが分かる。
もし、最初のＲＦＩＤタグまたは最後のＲＦＩＤタグを読み取ることができなかった場合、スタートフラグ（Ｓ）またはエンドフラグ（Ｅ）が記録されているＲＦＩＤタグが存在していないことが分かるので、最初のＲＦＩＤタグまたは最後のＲＦＩＤタグを読み取ることができなかったという事実が判明する。このときは、一括して再読み取りを行うか、または、ハンディ型リーダ・ライタで１個１個のＲＦＩＤタグの読み取りを行うことにより、読み取ることができなかったＲＦＩＤタグを特定する。
このＲＦＩＤ記録データの場合、例えば、関東地区から関西地区へある日時に出荷される物品の全部の総数Ｎが分かっているとする。その全部の総数Ｎ個のうち、第１番目のパレットにはＱ１個積載し、第２番目のパレットにはＱ２個積載し、…、第ｍ番目のパレットにはＱｍ個積載して出荷するとの指示が出され、それぞれのパレットに搭載する総数Ｑ１、Ｑ２、…、Ｑｍを示すデータが、例えば無線ＬＡＮで上位コンピュータから物流担当部署のハンディ型リーダ・ライタに送信される。
次に、第１番目のパレットから順番に、それぞれのパレット上に物品を収納したダンボール箱がＱ１個、Ｑ２個、…、Ｑｍ個積載され、それぞれの各ダンボール箱に１個ずつＲＦＩＤタグが添付された状態になると、物流担当部署において、物品管理対象となる物品の集合体ごとに、各パレット上のダンボール箱に添付されたＲＦＩＤタグに端から１個ずつ順番にハンディ型リーダ・ライタで、シリアル番号ｉとフラグ（各パレットの最初のＲＦＩＤタグにはスタートフラグ（Ｓ）、最後のＲＦＩＤタグにはエンドフラグ（Ｅ））とが書き込まれる。その後、例えば、書き終えたＲＦＩＤタグが添付されたダンボール箱上にはマジックなどでチェック印でも描くことによって、ＲＦＩＤタグへのデータの書き漏れを防止することができる。
ここで、各ダンボール箱のＲＦＩＤタグにシリアル番号ｉを書き込む順序などは特に制約がなく、第１番目のパレット上の全てのダンボール箱上のＲＦＩＤタグに「１」から順に総数Ｑ１に至るまでシリアル番号ｉを割り振って書き込んでいけば良い。第２番目のパレットに積載されているダンボール箱上のＲＦＩＤタグには、第１番目のパレットの最後のシリアル番号Ｑ１に続く（Ｑ１＋１）から順に総数Ｑ２に該当する（Ｑ１＋Ｑ２）までシリアル番号ｉをり振って書き込んでいけば良い。後は、同様に繰り返して割り振っていけば良い。
次に、第３番目のＲＦＩＤ記録データについて説明する。ここでは、物品の発送側で、送品する物品の全総数Ｎと、分割して一度に検品する物品の集合体にそれぞれ積載する物品の総数Ｑ１、Ｑ２、…Ｑｍが分かっているものとする。この場合、物品管理対象となる物品の集合体ごとに、物品に添付されるＲＦＩＤタグに対して、以下のルールに従ってデータが記録される。すなわち、各物品に添付するＲＦＩＤタグには、任意の番号「ｊ」から始まる一連の連番のシリアル番号ｉが付与される。最後のＲＦＩＤタグのフラグには総数Ｑが記録される。
１個目の物品に添付のＲＦＩＤタグ：シリアル番号（ｊ）、フラグ（０）
２個目の物品に添付のＲＦＩＤタグ：シリアル番号（ｊ＋１）、フラグ（０）…
Ｐ個目の物品に添付のＲＦＩＤタグ  ：シリアル番号（ｊ＋Ｐ−１）、フラグ（０）…
最後のＱ個目の物品に添付のＲＦＩＤタグ：シリアル番号（ｊ＋Ｑ−１）、総数（Ｑ）
物品の受け入れ側では、最後のＱ個目のＲＦＩＤタグには総数Ｑがフラグとして記録されているため、入荷総数Ｑが分かるとともに、最後のＲＦＩＤタグであるということが分かる。また、最後のＲＦＩＤタグのシリアル番号（ｊ＋Ｑ−１）から、総数Ｑを差し引いて、「１」を加算することにより、最初のＲＦＩＤタグのシリアル番号（ｊ）を算出することができる。このため、最初のＲＦＩＤタグを特定することができる。
入荷総数Ｑやシリアル番号ｉを確認し、シリアル番号ｉに抜けがなく、最初から最後までの通し番号が得られたか否かを調べることにより、ＲＦＩＤタグを全部読むことができたのか、あるいは、いくつのＲＦＩＤタグが読み取れなかったのかが分かる。さらには、もし、読み取れなかったＲＦＩＤタグが存在していた場合、読み取れたシリアル番号ｉを確認することにより、抜けているＲＦＩＤタグを特定することができる。
例えば、Ｐ個目のＲＦＩＤタグが読み取れない場合は、シリアル番号（ｊ＋Ｐ−１）が抜けていることになる。このシリアル番号（ｊ＋Ｐ−１）から、最初のＲＦＩＤタグのシリアル番号（ｊ）を差し引いて、「１」を加えることにより、Ｐ個目のＲＦＩＤタグが読み取れていないことが分かる。
もし、最後のＲＦＩＤタグを読み取ることができなかった場合、フラグとして総数Ｑが記録されているＲＦＩＤタグが存在していないことが分かるので、最後のＲＦＩＤタグを読み取ることができなかったという事実が判明する。このときは、一括して再読み取りを行うか、または、ハンディ型リーダ・ライタで１個１個のＲＦＩＤタグの読み取りを行うことにより、読み取ることができなかったＲＦＩＤタグを特定する。
このＲＦＩＤ記録データの場合、例えば、関東地区から関西地区へある日時に出荷される物品の全部の総数Ｎが分かっていて、その全部の総数Ｎ個のうち、第１番目のパレットにはＱ１個積載し、第２番目のパレットにはＱ２個積載し、…、第ｍ番目のパレットにはＱｍ個積載して出荷するとの指示が出され、それぞれのパレットに搭載する総数Ｑ１、Ｑ２、…、Ｑｍを示すデータが、例えば無線ＬＡＮで上位コンピュータから物流担当部署のハンディ型リーダ・ライタに送信される。
次に、第１番目のパレットから順番に、それぞれのパレット上に物品を収納したダンボール箱がＱ１個、Ｑ２個、…、Ｑｍ個積載され、それぞれの各ダンボール箱に１個ずつＲＦＩＤタグが添付された状態になると、物流担当部署において、物品管理対象となる物品の集合体ごとに、各パレット上のダンボール箱に添付されたＲＦＩＤタグに端から１個ずつ順番にハンディ型リーダ・ライタで、シリアル番号ｉと各パレットの最後のＲＦＩＤタグにはフラグとして総数Ｑ１、Ｑ２、…、Ｑｍとが書き込まれる。その後、例えば書き終えたＲＦＩＤタグが添付されたダンボール箱上にはマジックなどでチェック印でも描くことによって、ＲＦＩＤタグへのデータの書き漏れを防止することができる。
ここで、各ダンボール箱のＲＦＩＤタグにシリアル番号ｉを書き込む順序などは特に制約がなく、第１番目のパレット上の全てのダンボール箱上のＲＦＩＤタグに「１」から順に総数Ｑ１に至るまでシリアル番号ｉを割り振って書き込んでいけば良い。第２番目のパレットに積載されているダンボール箱上のＲＦＩＤタグには、第１番目のパレットの最後のシリアル番号Ｑ１に続く（Ｑ１＋１）から順に総数Ｑ２に該当する（Ｑ１＋Ｑ２）までシリアル番号ｉを割り振って書き込んでいけば良い。後は、同様に繰り返して割り振っていけば良い。
次に、第４番目のＲＦＩＤ記録データについて説明する。ここでは、物品の発送側で、一度に検品する物品の集合体に積載する物品の総数Ｑが分かっているものとする。この場合、物品管理対象となる物品の集合体ごとに、物品に添付されるＲＦＩＤタグに対して、以下のルールに従ってデータが記録される。すなわち、各物品に添付するＲＦＩＤタグには、「１」から始まる一連の連番のシリアル番号ｉが付与される。最後のＲＦＩＤタグにはエンドフラグ（Ｅ）が記録される。
１個目の物品に添付のＲＦＩＤタグ：シリアル番号（１）、フラグ（０）
２個目の物品に添付のＲＦＩＤタグ：シリアル番号（２）、フラグ（０）…
Ｐ個目の物品に添付のＲＦＩＤタグ：シリアル番号（Ｐ）、フラグ（０）…
最後のＱ個目の物品に添付のＲＦＩＤタグ：シリアル番号（Ｑ）、エンドフラグ（Ｅ）
物品の受け入れ側では、最後のＱ個目のＲＦＩＤタグにはエンドフラグ（Ｅ）が記録されているため、シリアル番号（Ｑ）から入荷総数Ｑが分かるとともに、最後のＲＦＩＤタグであるということが分かる。
入荷総数Ｑやシリアル番号ｉを確認し、シリアル番号ｉに抜けがなく、最初から最後までの通し番号が得られたか否かを調べることにより、ＲＦＩＤタグを全部読むことができたのか、あるいは、いくつのＲＦＩＤタグが読み取れなかったのかが分かる。もし、読み取れなかったＲＦＩＤタグが存在していた場合、読み取れたシリアル番号ｉを確認することにより、抜けているＲＦＩＤタグを特定することができる。
例えば、Ｐ個目のＲＦＩＤタグが読み取れない場合は、シリアル番号（Ｐ）が抜けていることになる。このシリアル番号（Ｐ）から、Ｐ個目のＲＦＩＤタグが読み取れていないことが分かる。
もし、最後のＲＦＩＤタグを読み取ることができなかった場合、エンドフラグ（Ｅ）が記録されているＲＦＩＤタグが存在していないことが分かるので、最後のＲＦＩＤタグを読み取ることができなかったという事実が判明する。このときは、一括して再読み取りを行うか、または、ハンディ型リーダ・ライタで１個１個のＲＦＩＤタグの読み取りを行うことにより、読み取ることができなかったＲＦＩＤタグを特定する。
このＲＦＩＤ記録データの場合、例えば、関東地区から関西地区へある日時に出荷される物品の全部の総数Ｎが分かっているとする。その全部の総数Ｎ個のうちの第１番目のパレットには、Ｑ個積載して出荷するとの指示が出され、そのパレットに搭載する総数Ｑを示すデータが、例えば無線ＬＡＮで上位コンピュータから物流担当部署のハンディ型リーダ・ライタに送信される。
次に、当該パレット上に物品を収納したダンボール箱がＱ個積載されているとし、各ダンボール箱に１個ずつＲＦＩＤタグが添付された状態になると、物流担当部署において、各パレット上のダンボール箱に添付されたＲＦＩＤタグに端から１個ずつ「１」から順番にハンディ型リーダ・ライタで、シリアル番号ｉが書き込まれ、最後のＲＦＩＤタグにはエンドフラグ（Ｅ）が書き込まれる。例えば、書き終えたＲＦＩＤタグが添付されたダンボール箱上にはマジックなどでチェック印でも描くことによって、ＲＦＩＤタグへのデータの書き漏れを防止することができる。ここで、各ダンボール箱のＲＦＩＤタグにデータを書き込む順序などは特に制約がなく、パレット上の全てのダンボール箱のＲＦＩＤタグに「１」から順にシリアル番号ｉを割り振るとともに、最後のＲＦＩＤタグにエンドフラグ（Ｅ）を書き込めば良い。
次に、第５番目のＲＦＩＤ記録データについて説明する。ここでは、物品の発送側で、一度に検品する物品の集合体に積載する物品の総数Ｑが分かっているものとする。この場合、物品に添付されるＲＦＩＤタグに対しては以下のルールに従ってデータが記録される。
このＲＦＩＤ記録データは、第１ないし第４番目の各ＲＦＩＤ記録データについて、さらに、物品の存在位置を特定する情報をも記録するという位置の特定方式であり、発送側で、ＲＦＩＤタグにシリアル番号を書き込むとき、パレット上に積載する物品の位置（例えば、列ごとや行ごとや塊ごと）に対応付けて、一定の規則に従って、シリアル番号ｉやフラグを記録するものであり、物品の受け入れ側の検品時に、読み取ることができなかったＲＦＩＤタグが存在していた場合、抜けているシリアル番号ｉやフラグから、その物品の積載位置を推定することができる。
パレット上にダンボール箱を積載するとき、例えば２列にし、ＲＦＩＤタグにシリアル番号をハンディ型リーダ・ライタで書き込む際に、いずれか一方の列のダンボール箱から先に書き込まれ、他方の列のダンボール箱は、その後に書き込まれる。その後、例えば、書き終えたＲＦＩＤタグが添付されたダンボール箱上にはマジックなどでチェック印でも描くことによって、ＲＦＩＤタグへのデータの書き漏れを防止することができる。
ここで、各ダンボール箱のＲＦＩＤタグにシリアル番号ｉを書き込む順序は、同じ列内であれば、特に制約がない。したがってシリアル番号ｉが順に割り振られる。この際、例えば、フラグには、前述の第１番目から第４番目までのＲＦＩＤ記録データに加えて、さらに２ビット分を使い、一方の列に積載したダンボール箱のＲＦＩＤタグに記録する場合、第１列目を意味する「０１」（１０進数の「１」）が追加記録される。他方の列に積載したダンボール箱のＲＦＩＤタグに記録する場合は、第２列目を意味する「１０」（１０進数の「２」）が追加記録される。
さらに、パレット上に、２列ではなく、ｎ個に分離して一塊ずつにして積載する場合、ＲＦＩＤタグのフラグのビット数がさらに追加され、ＲＦＩＤタグにはフラグ（１、２、３、…、ｎ）が追加して記録される。例えば、フラグ１の中のあるシリアル番号のＲＦＩＤタグが読み取ることができなかった場合、ハンディ型リーダ・ライタでパレット上のシリアル番号ｉとフラグとを順次確認して、フラグ１として積載されたダンボール箱の塊を見つけ、その塊の中を１個ずつ確認することによって、読み取ることができなかったＲＦＩＤタグのダンボール箱を特定することができる。
次に、前述のようなデータ記録内容のＲＦＩＤタグを適用した本発明による物品管理システムおよび物品管理方法における具体的な構成例について、図面を用いて説明する。
図１は、本発明の物品管理システムにおいて一括検品する物品の集合体の様子の一例を示す概念図である。図１に示すように、物品の集合体５０は、物品が収納されているダンボール箱３１、３２、…、４２それぞれにＲＦＩＤタグ１、２、…、１２を貼り付けて、一塊に積み重ねられたものから構成されている。ここで、集合体５０は、一括検品の単位となる総数として、ダンボール箱数が１２個（１ダース）としている例を示しているが、この総数はかかる場合に限るものではなく、ダンボール箱の数に制限は無く、任意の個数であってかまわない。
図２は、物品の受入側において物品の集合体５０の一括検品を行うためのゲート型検品装置を示す概念図であり、本発明における物品管理システムを構成する物品検品側の装置の一例を示すものである。図２のゲート型検品装置１００に示すように、検品対象の物品の集合体５０は、移動し易いように、パレット２１０の上に積載されている。ゲート型検品装置１００は、ＲＦＩＤタグ１、２、…、１２に向かって無線電波を発射するアンテナ１０１、アンテナ１０２、アンテナ１０３の３つのアンテナから構成されるゲート機構すなわちゲートシステム１０５と、各アンテナ１０１、１０２、１０３の送受信信号を制御するリーダ・ライタ（ＲＦＩＤタグリーダ・ライタ）１１０と、リーダ・ライタ１１０から送られてきたＲＦＩＤ記録データを演算して表示するパソコンなどの表示装置１２０とを、含んで構成される。
なお、アンテナ１０１、１０２、１０３の個数は、検品対象の物品の集合体５０のＲＦＩＤタグ１、２、…、１２の記録データを読み取り可能なものであれば、１つでも、４つ以上でも、１ないし複数の任意の個数であっても良い。また、アンテナ１０１、１０２、１０３のゲートシステム１０５のアームへの取り付け場所も、パレット２１０に積載されたダンボール箱３１、３２、…、４２のＲＦＩＤタグ１、２、…、１２すべてと無線電波の送受信が可能な位置であれば、ゲートシステム１０５のアーム上の任意の位置でかまわない。また、場合によっては、ゲートシステム１０５のアーム上を摺動可能に取り付けても良い。
図３は、物品の発送側において物品の集合体５０に物品管理用のデータを書き込むためのデータ書き込み装置を示す概念図であり、本発明における物品管理システムを構成する物品発送側の装置の一例を示すものである。図３のデータ書き込み装置２００に示すように、パレット２１０上に積載されている物品の集合体５０のダンボール箱３１、３２、…、４２それぞれに貼り付けられているＲＦＩＤタグ１、２、…、１２に物品管理用のデータを書き込むハンディ型リーダ・ライタ（ハンディ型ＲＦＩＤタグリーダ・ライタ）２２０を含んで構成される。
ダンボール箱３１、３２、…、４２のそれぞれの側面に貼付されたＲＦＩＤタグ１、２、…、１２には、移動容易なパレット２１０上に積載された状態で、ハンディ型リーダ・ライタ２２０によって、物品管理用のデータが書込みまれる。なお、一括検品の対象となる物品の集合体５０が特定可能であれば、パレット５０に積載された状態でなくても、任意の場所で、ハンディ型リーダ・ライタ２２０によって、物品管理用のデータを書き込むようにしてもかまわない。
次に、図２に示した物品受入側のゲート型検品装置１００の動作の一例について説明する。物品の集合体５０は、前述したように、パレット２１０に積載された状態で、台車やフォークリフトなどによって、ゲートシステム１０５の中を通過する。このとき、３つのアンテナ１０１、１０２、１０３から物品の集合体５０に向かってそれぞれのダンボール箱３１、３２、…、４２に添付されているＲＦＩＤタグ１、２、…、１２のデータを読み出す読み出し命令が無線電波によって送信される。
ダンボール箱３１、３２、…、４２に添付されているＲＦＩＤタグ１、２、…、１２は、それぞれ、ある閾値以上のレベルの電波強度を有する無線電波を受信したとき、その無線電波の指示命令を解読して、読み出し命令であった場合、ＲＦＩＤタグ１、２、…、１２内のそれぞれのメモリに格納されているデータを読み出す。読み出したデータを含む無線電波は、ＲＦＩＤタグ１、２、…、１２から、アンテナ１０１、１０２、１０３に向かって送信される。
３つのアンテナ１０１、１０２、１０３のうちの少なくとも１つが、ＲＦＩＤタグ１、２、…、１２のいずれかからの無線電波を受信すると、リーダ・ライタ１１０を経由して、パソコンなどの表示装置１２０に、受信したデータが送られ、表示装置１２０上にそのデータが表示される。
次に、図３に示した物品発送側のデータ書き込み装置２００の動作の一例について説明する。データ書込み装置２００においては、物品の一括管理対象となる物品の集合体５０を構成するダンボール箱３１、３２、…、４２それぞれの側面にＲＦＩＤタグ１、２、…、１２が１個ずつ添付されている。したがって、前述したように、ハンディ型リーダ・ライタ２２０を用いて、任意に選択した順序で、ＲＦＩＤタグ１、２、…、１２に、それぞれの物品管理用のデータがＲＦＩＤ記録データとして書き込まれる。例えば、ダンボール箱３１に添付されたＲＦＩＤタグ１から始めて、最後のダンボール箱４２に添付されたＲＦＩＤタグ１２まで、順番に、ハンディ型リーダ・ライタ２２０によって、それぞれのＲＦＩＤタグ１、２、…、１２にシリアル番号ｉやフラグなどを含む物品管理用のデータが書き込まれていく。
（第１の物品管理用データ記録例）
図４は、物品発送側のデータ書込み装置２００においてダンボール箱３１、３２、…、４２それぞれに添付されたＲＦＩＤタグ１、２、…、１２に物品管理用として書き込むデータの一例を説明するためのテーブルであり、前述した第１番目のＲＦＩＤ記録データの例を示している。
図４において、物品コード３０１は、当該物品を特定するために物品に紐付けされる特有のコードである。シリアル番号３０２は、一括管理対象となる物品の集合体５０のダンボール箱３１、３２、…、４２それぞれに添付されるＲＦＩＤタグ１、２、…、１２に対して、発送側で付与する「１」から始まる連続的な数値である。また、フラグ３０３は、一括管理対象となる物品の集合体５０のダンボール箱３１、３２、…、４２の総数を示すＱ（本実施例では１２）を、全部のＲＦＩＤタグ１、２、…、１２に記録する。
例えば、図４に示すように、１番目のダンボール箱３１に添付された１番目のＲＦＩＤタグ１に物品管理用として記録するデータは、物品コードがＸ１、シリアル番号が１、フラグがＱである。また、２番目のダンボール箱３２に添付された２番目のＲＦＩＤタグ２に物品管理用として記録するデータは、物品コードがＸ２、シリアル番号が２、フラグがＱである。また、Ｐ番目のダンボール箱３８に添付されたＰ番目のＲＦＩＤタグ８に物品管理用として記録するデータは、物品コードがＸｐ、シリアル番号がＰ、フラグがＱである。最後のＱ番目のダンボール箱４２に添付されたＱ番目のＲＦＩＤタグ１２に物品管理用として記録するデータは、物品コードがＸｑ、シリアル番号がＱ、フラグがＱである。
このようなデータを準備して、ハンディ型リーダ・ライタ２２０を用いて、パレット２１０上に積載されたダンボール箱３１、３２、…、４２それぞれに添付されているＲＦＩＤタグ１、２、…、１２のすべてに、順番に、物品管理用のデータが書き込まれる。
図４のように物品管理用のデータが記録されたＲＦＩＤタグ１、２、…、１２を添付したダンボール箱３１、３２、…、４２の物品の集合体５０が物品受入側に搬入され、図２のゲート型検品装置１００において、ＲＦＩＤタグ１、２、…、１２のデータが読み取られた場合、ＲＦＩＤタグ１、２、…、１２のデータをすべて正しく読み取ることができれば、図４と同じデータが得られるはずである。
もし、読むことができなかったＲＦＩＤタグが存在していれば、入荷総数Ｑとシリアル番号ｉとから、何番目のＲＦＩＤタグが読めなかったのか、また、何個のＲＦＩＤタグを読むことができなかったのかを特定することができる。例えば、Ｐ個目のＲＦＩＤタグ８のみを読むことができなかった場合は、読み取ったＲＦＩＤタグのシリアル番号からシリアル番号（Ｐ）のＲＦＩＤタグのみが抜けているため、Ｐ個目のＲＦＩＤタグ８のみが読まれなかったことが分かる。
もし、最後のＲＦＩＤタグ１２を読むことができなかった場合でも、読むことができた他のＲＦＩＤタグに記録されているフラグとシリアル番号とから、読めなかったＲＦＩＤタグ１２の総数Ｑ、シリアル番号を特定することができる。
図５に、図２の物品受入側の表示装置１２０に物品検品結果として表示される一例を示す。図５においては、物品受入側のゲート型検品装置１００のゲートシステム１０５を通過する物品の集合体５０の検品総数Ｑが、シリアル番号が「１２３４１」から「１２３５２」までの１２個であり、そのうち、ＲＦＩＤタグに記録のデータの読み取り確認ができたＲＦＩＤタグの確認総数が、１０個であり、読み取り確認ができなかったＲＦＩＤタグのシリアル番号が「１２３４５」と「１２３４８」の２個である場合を示している。
このように、物品受入側のゲート型検品装置１００のゲートシステム１０５を通過する物品の集合体５０の検品総数Ｑが、あらかじめ分かっていない状態にあったとしても、また、読み取ることができなかったＲＦＩＤタグが存在していたとしても、読み取ることができた他のＲＦＩＤタグを利用して、検品総数が１２個であり、読み取ることができなかったＲＦＩＤタグが２個存在していて、それらのシリアル番号が「１２３４５」と「１２３４８」の２つであることを、表示装置１２０に表示することができる。
したがって、物品の集合体５０を一括検品するような場合において、物品の受入側では、物品の集合体５０に含まれる総数Ｑが不明なときであっても、物品の発送側から送品伝票等を入手することなく、総数Ｑを把握することができる。その理由は、読み込んだＲＦＩＤタグのすべてに、検品対象の物品の総数Ｑが記録されているからである。また、一括検品するような場合において、送品伝票等が無くても、読み取ることができなかったＲＦＩＤタグの個数とそのシリアル番号とを特定することができる。その理由は、各ＲＦＩＤタグのシリアル番号として、一連の連続番号が付与されているので、読み取ることができたＲＦＩＤタグのシリアル番号を参照することにより、読み取ることができなかった欠落番号を特定することができるからである。
（第２の物品管理用データ記録例）
次に、前述の図４とは異なる内容のデータを物品管理用のデータとして各ＲＦＩＤタグに記録する例について、第２の物品管理用データ記録例として説明する。
図６は、物品発送側のデータ書込み装置２００においてダンボール箱３１、３２、…、４２それぞれに添付されたＲＦＩＤタグ１、２、…、１２に物品管理用として書き込むデータの異なる例を説明するためのテーブルを示し、前述した第２番目のＲＦＩＤ記録データの例を示している。
図６において、物品コード４０１は、図４の場合と同様、当該物品を特定するために物品に紐付けされる特有のコードである。シリアル番号４０２は、発送側で任意に付与する一連番号であるが、一括検品対象となる物品の集合体５０の中では連続的な数値である。図６の例では、一括検品対象となる総数がＱ個であり、シリアル番号が、「ｊ」から始まり、「ｊ＋Ｑ−１」まで連続する一連の連続数値である。また、フラグ４０３において、一括管理対象となる物品の集合体５０のダンボール箱３１、３２、…、４２のうち、最初のダンボール箱３１に添付されているＲＦＩＤタグ１にはスタートフラグ（Ｓ）が、最後のダンボール箱４２に添付されているＲＦＩＤタグ１２にはエンドフラグ（Ｅ）が記録される。
例えば、図６に示すように、１番目のダンボール箱３１に添付された１番目のＲＦＩＤタグ１に物品管理用として記録するデータは、物品コードがＸ１、シリアル番号がｊ、フラグが最初を示すＳである。また、２番目のダンボール箱３２に添付された２番目のＲＦＩＤタグ２に物品管理用として記録するデータは、物品コードがＸ２、シリアル番号が（ｊ＋１）、フラグが０である。また、Ｐ番目のダンボール箱３８に添付されたＰ番目のＲＦＩＤタグ８に物品管理用として記録するデータは、物品コードがＸｐ、シリアル番号が（ｊ＋Ｐ−１）、フラグが０である。最後のＱ番目のダンボール箱４２に添付されたＱ番目のＲＦＩＤタグ１２に物品管理用として記録するデータは、物品コードがＸｑ、シリアル番号が（ｊ＋Ｑ−１）、フラグが最後を示すＥである。
このようなデータを準備して、ハンディ型リーダ・ライタ２２０を用いて、パレット２１０上に積載されたダンボール箱３１、３２、…、４２それぞれに添付されているＲＦＩＤタグ１、２、…、１２のすべてに、順番に、物品管理用のデータが書き込まれる。
図６のように物品管理用のデータが記録されたＲＦＩＤタグ１、２、…、１２を添付したダンボール箱３１、３２、…、４２の物品の集合体５０が物品受入側に搬入され、図２のゲート型検品装置１００において、ＲＦＩＤタグ１、２、…、１２のデータが読み取られた場合、ＲＦＩＤタグ１、２、…、１２のデータをすべて正しく読み取ることができれば、検品総数は、エンドフラグ（Ｅ）が付与されているＲＦＩＤタグ１２のシリアル番号（ｊ＋Ｑ−１）から、スタートフラグ（Ｓ）が付与されているＲＦＩＤタグ１のシリアル番号（ｊ）を差し引いて「１」を加えることによって、Ｑ個であることが分かる。
もし、読むことができなかったＲＦＩＤタグが存在していれば、図４の場合と同様に、入荷総数Ｑとシリアル番号ｉとから、何番目のＲＦＩＤタグが読めなかったのか、また、何個のＲＦＩＤタグを読むことができなかったのかを特定することができる。例えば、Ｐ個目のＲＦＩＤタグ８のみを読むことができなかった場合は、シリアル番号（ｊ＋Ｐ−１）のＲＦＩＤタグのみが抜けているため、最初のＲＦＩＤタグ１のシリアル番号（ｊ）を差し引いて「１」を加えて得られるＰ個目のＲＦＩＤタグ８が読まれなかったことが分かる。
もし、最初のＲＦＩＤタグ１または最後のＲＦＩＤタグ１２を読むことができなかった場合、読み取られたＲＦＩＤタグの中に、スタートフラグ（Ｓ）が付与されているＲＦＩＤタグまたはエンドフラグ（Ｅ）が付与されているＲＦＩＤタグが存在していないことから、最初のＲＦＩＤタグ１または最後のＲＦＩＤタグ１２を読むことができなかったことが分かる。このような場合は、再度、アンテナ１０１、１０２、１０３から一括読み出し命令を送信することにするか、あるいは、ハンディ型リーダ・ライタを用いて、ＲＦＩＤタグを１個１個読み込んで確認していくことにより、読むことができなかったＲＦＩＤタグを特定することになる。
図７は、エンドフラグ（Ｅ）が記録された最後のＲＦＩＤタグ１２を読み取ることができなかった場合の画面表示例を示す画面表示図であり、一括検品対象の物品の集合体５０の再確認を要求している画面表示例である。図７に示すように、物品受入側のゲート型検品装置１００のゲートシステム１０５を通過する物品の集合体５０は、スタートフラグ（Ｓ）が付与されているＲＦＩＤタグ１のシリアル番号として「１２３４１」から始まっている物品の塊であり、かつ、１０個のＲＦＩＤタグを確認することができたものの、エンドフラグ（Ｅ）が付与されている最後のＲＦＩＤタグが読み取れなかったことを表示している。このために、さらに、その検品総数Ｑが「不明」であり、「エンドフラグ付きタグが未確認」のため、ＲＦＩＤタグのデータの再確認を求める「タグのデータ確認！」という警告メッセージを表示している場合を示している。
（第３の物品管理用データ記録例）
次に、前述の図４とはさらに異なる内容のデータを物品管理用のデータとして各ＲＦＩＤタグに記録する例について、第３の物品管理用データ記録例として説明する。
図８は、物品発送側のデータ書込み装置２００においてダンボール箱３１、３２、…、４２それぞれに添付されたＲＦＩＤタグ１、２、…、１２に物品管理用として書き込むデータのさらに異なる例を説明するためのテーブルであり、前述した第３番目のＲＦＩＤ記録データの例を示している。
図８において、物品コード５０１は、図４の場合と同様、当該物品を特定するために物品に紐付けされる特有のコードである。シリアル番号５０２は、図６の場合と同様、発送側で任意に付与する一連番号であるが、一括検品対象となる物品の集合体５０の中では連続的な数値である。図８の例では、一括検品対象となる総数がＱ個であり、シリアル番号が、「ｊ」から始まり、「ｊ＋Ｑ−１」まで連続する一連の連続数値である。また、フラグ５０３は、一括検品対象となる物品の集合体５０のダンボール箱３１、３２、…、４２のうち、最後のダンボール箱４２に添付されているＲＦＩＤタグ１２には、一括検品対象となる物品の総数（Ｑ）が記録される。
例えば、図８に示すように、１番目のダンボール箱３１に添付された１番目のＲＦＩＤタグ１に物品管理用として記録するデータは、物品コードがＸ１、シリアル番号がｊ、フラグが０である。また、２番目のダンボール箱３２に添付された２番目のＲＦＩＤタグ２に物品管理用として記録するデータは、物品コードがＸ２、シリアル番号が（ｊ＋１）、フラグが０である。また、Ｐ番目のダンボール箱３８に添付されたＰ番目のＲＦＩＤタグ８に物品管理用として記録するデータは、物品コードがＸｐ、シリアル番号が（ｊ＋Ｐ−１）、フラグが０である。最後のＱ番目のダンボール箱４２に添付されたＱ番目のＲＦＩＤタグ１２に物品管理用として記録するデータは、物品コードがＸｑ、シリアル番号が（ｊ＋Ｑ−１）、フラグが総数を示すＱである。
このようなデータを準備して、ハンディ型リーダ・ライタ２２０を用いて、パレット２１０上に積載されたダンボール箱３１、３２、…、４２それぞれに添付されているＲＦＩＤタグ１、２、…、１２のすべてに、順番に、物品管理用のデータが書き込まれる。
図８のように物品管理用のデータが記録されたＲＦＩＤタグ１、２、…、１２を添付したダンボール箱３１、３２、…、４２の物品の集合体５０を、物品受入側に搬入して、図２のゲート型検品装置１００において、ＲＦＩＤタグ１、２、…、１２のデータを読み取った場合、ＲＦＩＤタグ１、２、…、１２のデータをすべて正しく読み取ることができれば、検品総数は、最後のＲＦＩＤタグ１２のフラグに記録されている総数から、Ｑ個であることが分かるとともに、この総数Ｑが記録されているＲＦＩＤタグ１２が最後のＲＦＩＤタグであるということも分かる。また、最後のＲＦＩＤタグ１２のシリアル番号（ｊ＋Ｑ−１）と総数Ｑの数値とが分かるため、最初のＲＦＩＤタグのシリアル番号ｊも分かる。
検品対象の総数Ｑが分かると、入荷総数Ｑとシリアル番号ｉとから、図４の場合と同様に、もし、読むことができなかったＲＦＩＤタグが存在していれば、何番目のＲＦＩＤタグが読めなかったのか、また、何個のＲＦＩＤタグを読むことができなかったのかを特定することができる。例えば、Ｐ個目のＲＦＩＤタグ８のみを読むことができなかった場合は、シリアル番号（ｊ＋Ｐ−１）のＲＦＩＤタグのみが抜けているため、最初のＲＦＩＤタグ１のシリアル番号（ｊ）を差し引いた後、「１」を加えることにより、Ｐ個目のＲＦＩＤタグ８のみが読まれなかったことが分かる。
もし、最後のＱ番目のＲＦＩＤタグ１２を読むことができなかった場合、読み取られたＲＦＩＤタグの中に、フラグに総数（Ｑ）が付与されているＲＦＩＤタグが存在していないことから、最後のＲＦＩＤタグ１２を読むことができなかったことが分かる。このような場合は、再度、アンテナ１０１、１０２、１０３から一括読み出し命令を送信することにするか、あるいは、ハンディ型リーダ・ライタを用いて、ＲＦＩＤタグを１個１個読み込んで確認していくことにより、読むことができなかったＲＦＩＤタグを特定することになる。
（第４の物品管理用データ記録例）
次に、前述の図４とはさらに異なる内容のデータを物品管理用のデータとして各ＲＦＩＤタグに記録する例について、第４の物品管理用データ記録例として説明する。
図９は、物品発送側のデータ書込み装置２００においてダンボール箱３１、３２、…、４２それぞれに添付されたＲＦＩＤタグ１、２、…、１２に物品管理用として書き込むデータのさらに異なる例を説明するためのテーブルを示し、前述した第４番目のＲＦＩＤ記録データの例を示している。
図９において、物品コード６０１は、図４の場合と同様、当該物品を特定するために物品に紐付けされる特有のコードである。シリアル番号６０２は、図４の場合と同様、一括管理対象となる物品の集合体５０のダンボール箱３１、３２、…、４２それぞれに添付されるＲＦＩＤタグ１、２、…、１２に対して、発送側で付与する「１」から始まる連続的な数値である。フラグ６０３において、一括管理対象となる物品の集合体５０のダンボール箱３１、３２、…、４２のうち、最後のダンボール箱４２に添付されているＲＦＩＤタグ１２には、エンドフラグ（Ｅ）が記録される。
例えば、図９に示すように、１番目のダンボール箱３１に添付された１番目のＲＦＩＤタグ１に物品管理用として記録するデータは、物品コードがＸ１、シリアル番号が１、フラグが０である。また、２番目のダンボール箱３２に添付された２番目のＲＦＩＤタグ２に物品管理用として記録するデータは、物品コードがＸ２、シリアル番号が２、フラグが０である。また、Ｐ番目のダンボール箱３８に添付されたＰ番目のＲＦＩＤタグ８に物品管理用として記録するデータは、物品コードがＸｐ、シリアル番号がＰ、フラグが０である。最後のＱ番目のダンボール箱４２に添付されたＱ番目のＲＦＩＤタグ１２に物品管理用として記録するデータは、物品コードがＸｑ、シリアル番号がＱ、フラグが最後を示すＥである。
このようなデータを準備して、ハンディ型リーダ・ライタ２２０を用いて、パレット２１０上に積載されたダンボール箱３１、３２、…、４２それぞれに添付されているＲＦＩＤタグ１、２、…、１２のすべてに、順番に、物品管理用のデータが書き込まれる。
図９のように物品管理用のデータが記録されたＲＦＩＤタグ１、２、…、１２を添付したダンボール箱３１、３２、…、４２の物品の集合体５０が物品受入側に搬入され、図２のゲート型検品装置１００において、ＲＦＩＤタグ１、２、…、１２のデータを読み取った場合、ＲＦＩＤタグ１、２、…、１２のデータをすべて正しく読み取ることができれば、検品総数は、最後のＲＦＩＤタグ１２のフラグに記録されているエンドフラグ（Ｅ）から、最後のシリアル番号がＱであることが分かるので、Ｑ個であることが分かる。また、最初のＲＦＩＤタグのシリアル番号は、「１」と記録されている。
検品対象の総数Ｑが分かると、入荷総数Ｑとシリアル番号ｉとから、図４の場合と同様に、もし、読むことができなかったＲＦＩＤタグが存在していれば、何番目のＲＦＩＤタグが読めなかったのか、また、何個のＲＦＩＤタグを読むことができなかったのかを特定することができる。例えば、Ｐ個目のＲＦＩＤタグ８のみを読むことができなかった場合は、シリアル番号（Ｐ）のＲＦＩＤタグのみが抜けているため、Ｐ個目のＲＦＩＤタグ８のみが読まれなかったことが分かる。
もし、最後のＱ番目のＲＦＩＤタグ１２を読むことができなかった場合、読み取られたＲＦＩＤタグの中に、フラグに最後を示すエンドフラグ（Ｅ）が付与されているＲＦＩＤタグが存在していないことから、最後のＲＦＩＤタグ１２を読むことができなかったことが分かる。このような場合は、再度、アンテナ１０１、１０２、１０３から一括読み出し命令を送信することにするか、あるいは、ハンディ型リーダ・ライタを用いて、ＲＦＩＤタグを１個１個読み込んで確認していくことにより、読むことができなかったＲＦＩＤタグを特定することになる。
（第５の物品管理用データ記録例）
次に、図４〜図９とはさらに異なる内容のデータを物品管理用のデータとして各ＲＦＩＤタグに記録する例について、第５の物品管理用データ記録例として説明する。
図１０は、物品発送側のデータ書込み装置２００においてダンボール箱３１、３２、…、４２それぞれに添付されたＲＦＩＤタグ１、２、…、１２に物品管理用として書き込むシリアル番号の異なる付与方法を説明するための説明図であり、前述した第５番目のＲＦＩＤ記録データの例を示している。すなわち、図１０は、パレット２１０上に積載する物品を収納したダンボール箱３１、３２、…、４２の積載位置（例えば、行番号や列番号や塊番号など）に対応付けて、一定の規則に従って、シリアル番号ｉを記録する位置特定方式の一例を示したものである。本実施例においては、積載した列に応じて、シリアル番号を順番に付与するとともに、フラグに、その列位置を示すコードを付与している例を示している。
ここでは、第１列から第４列までに対応して、フラグとして、それぞれ「１」〜「４」が記録され、列ごとに、シリアル番号を連続して記録する例として、第１列から第４列まで、それぞれの列内で連続した番号を付与するとともに、次の列の最初のシリアル番号を、前の列の最後のシリアル番号から連続する番号を付与することとして、順次、「１」〜「３」、「４」〜「６」、「７」〜「９」、「１０」〜「１２」が記録される。
図１０のように、各ＲＦＩＤタグ１、２、…、１２に、各列に、フラグとシリアル番号とを順番に記録しておくことにより、物品受入側で、一括検品を行った際に、読み取ることができなかったＲＦＩＤタグが存在している場合に、フラグとシリアル番号とが、該当する物品が収納されているダンボール箱の位置に対応しているため、パレット２１０上のどの辺りの位置に積載されているダンボール箱であるかを直ちに特定することができる。
以上に詳細に説明したように、物品の発送、受入、搬送、在庫などにおける物品管理の際に、個々の物品ごとではなく、複数の物品を効果的に一括管理する仕組みを実現するために、物品管理用のデータとして、少なくとも、各物品それぞれに連続した別々のシリアル番号や管理対象の物品の総数を算出することが可能なフラグを付与することにより、すなわち、一括管理の対象とする物品の総数を把握可能とする情報を体系化されたコードとして、ＲＦＩＤタグに書き込むことにより、たとえ、対象の物品総数が送付伝票などのように別送されなくても、総数を把握することを可能とし、さらには、ＲＦＩＤタグの読み取りに失敗しても、何個のＲＦＩＤタグの読み取りに失敗しているのか、さらに、どの物品に該当するＲＦＩＤタグが読み取ることができなかったのかを、容易に把握することが可能としている。
なお、前述した実施例においては、図３に示すデータ書き込み装置２００側でＲＦＩＤタグに物品管理用のデータを書き込むデバイスとして、ハンディ型リーダ・ライタ２２０を用いる例を示しているが、本発明は、このような場合のみに限るものではない。
例えば、管理対象の物品が収納されているダンボール箱３１、３２、…、４２を積載したパレット２１０がゲートシステムに通過した際に、ダンボール箱３１、３２、…、４２に添付されているＲＦＩＤタグ１、２、…、１２にそれぞれのデータを書き込ませるため、ダンボール箱３１、３２、…、４２が通過するゲート機構（ゲートシステム）の両側のアームに、上下に摺動可能なアンテナを配置し、該アンテナを介して送受信される無線電波を制御するＲＦＩＤタグリーダ・ライタを備えるようにしても良い。
ここで、このＲＦＩＤタグリーダ・ライタで制御される無線電波としては、ダンボール箱に添付されている該当するＲＦＩＤタグに対してのみ、確実に、データを書き込むことができるような電波到達距離が短いものであることが望ましい。
さらには、ＲＦＩＤタグリーダ・ライタの制御により無線電波を送受信するアンテナは、上下のみならず、左右方向にもアーム上を摺動可能なものであっても良く、例えば、ゲートシステムとして、開閉可能なアームを備え、該アームを水平にして、ゲートを閉じた状態にした場合に、アーム上を無線電波を送受信するアンテナが任意の位置まで左右に摺動することを可能にしても良い。
次に、本発明の他の実施例について図面を参照して説明する。
図１１は工具、医療器具等の設備品の貸出しにおける書込みシステムを示す図である。各貸出し対象の備品１０〜２３にＲＦＩＤタグを個々に貼り付けており、貸し出し時に貸し出し対象の備品１０〜２３に貼付されたＲＦＩＤタグをハンディリーダライタ３０にかざすことにより貸出し順でシリアル番号が書き込まれる。
図１２は、商品の返却時、現場での置き忘れ確認の為のシステム構成例を示す。ゲート型検品システムは、ＲＦＩＤタグに向かって電波を出すアンテナ１０，アンテナ１１，アンテナ１２の３つのアンテナで構成されるゲートシステム１００と、アンテナの送信信号を制御するリーダ・ライタ１３、およびリーダ・ライタから送られてきたデータを演算し表示するパソコン１４から構成される。アンテナの数は１つでも４つ以上でも良い。
最初に図１１にて備品の貸し出し時の処理を説明する。各貸出し対象の備品１０〜２３にＲＦＩＤタグを個々に貼り付けており、貸し出し時に貸し出し対象の備品１０〜２３に貼付されたＲＦＩＤタグをハンディリーダライタ３０にかざすことにより貸出し順でシリアル番号が書き込まれる。最初にかざした備品１０にはシリアル番号１とフラグ０が書き込まれ、２番目の貸出し備品１１にはシリアル番号２とフラグ０が書き込まれる。続けて、貸出し対象の備品１０〜２３を順次ハンディリーダライタ３０にかざし、貸出し順Ｎに対応したシリアル番号Ｎとフラグ０が書込まれ、最後の貸出し備品まで書き込みを完了したら、備品格納ケース３０に貼付されたＲＦＩＤタグに最後の貸出し備品数に１加算した番号と最後を示すフラグＥが書き込まれる。
このように、返却時に、シリアル番号とフラグを記述したタグ付の備品が格納された格納ケースを図１２に示すような構成のゲートシステムに通過させることにより、貸出し備品が置き忘れなくすべて揃っているかを速やかに確認できる。  次に、本発明のさらに他の実施例について図面を参照して説明する。
図１３は幼稚園、保育園等の児童教育機関や老人ホーム等の集団での入退出、点呼管理システムへの適用例を示すものである。集団管理者３は、施設からの退出時に、管理対象者にＲＦＩＤタグを名札等にいれて貼付し、管理対象者をゲートシステム１００に通過させる。ゲートシステム１００は通過順に管理対象者のＲＦＩＤに通過順のシリアル番号、フラグ値０を書き込んでゆく。最後に集団管理者はフラグＥの書き込まれたＲＦＩＤを身に付けてゲートシステムを通過し、管理対象者のシリアル番号＋１の値が書き込まれる。
施設に戻った際には集団管理者３はまずゲートシステム１００を通過する。その際、フラグＥと総数が当該ゲートシステムに読み取られる。以降、管理対象者が順次ゲートを通過することにより、速やかな点呼、確認が完了する。また、集団管理者がハンディ型のリーダ・ライタを携行することにより、同様の機能を外出先での実現可能である。
以下、上記したシステム、方法のさらに他の実施例について図１４〜図１７を参照して説明する。
本発明で使用されるＲＦＩＤタグは自己ＩＤ以外に、読み落としを防止することを目的とした情報を記憶する読み落とし防止情報記憶手段１０６を備えている。
本発明で使用されるＲＦＩＤの操作装置は、図１５に示されるように検知したタグ全てのＩＤを一旦記憶し、そのＩＤ情報を基に作成した読み落とし防止情報を、本発明で使用されるＲＦＩＤタグの読み落とし防止情報記憶手段１０６に記憶させる制御手段２０３を備えている。
本発明で使用されるＲＦＩＤの操作装置は、タグの読み取り時に検知したタグのＩＤと上記読み落とし防止情報記憶手段１０４に記憶された読み落とし防止情報から、複数のロットの物品に取り付けられたＲＦＩＤタグに対して、どのロットでＲＦＩＤタグの読み落としが起こったかを検出する。
本発明の方法では、出荷時にロット単位でＲＦＩＤタグの読み落とし防止情報記憶手段に対して読み落とし防止情報を記憶させる。この読み落とし防止情報は、同じロットに属するＲＦＩＤタグ全てのＩＤを基にしてハッシュアルゴリズムで作成したハッシュデータである。同じロットに属するＲＦＩＤタグ全てのＩＤを基にしたハッシュデータを読み落とし防止情報としてタグに記憶させることで、ロットごとの識別子として働くだけではなく、検品時に読み落とし防止情報が同じタグのＩＤを基にしてハッシュデータを作成し、比較するという手順を踏むことにより、読み落としの判別が可能となる。
以下具体的なＲＦＩＤタグの操作装置の構成について説明する。図１４は本発明のＲＦＩＤタグの、図１５は本発明のＲＦＩＤタグの操作装置の実施例の概略構成を示すブロック図である。図１４に示すように、本発明に使用されるＲＦＩＤタグは、ＲＦＩＤタグ操作装置との間の電波の送受信を行うアンテナ１０１、受信電波のデコードを行うデータ受信手段１０２、送信するデータを送信電波にエンコードするデータ送信手段１０３、ＲＦＩＤタグの操作装置からのを信号を処理する制御手段１０４、ＲＦＩＤタグのＩＤ１０５、読み落とし防止情報記憶手段１０６を有する。
図１５に示すように、本発明のＲＦＩＤタグ操作装置は、ＲＦＩＤタグとの間の電波の送受信を行うアンテナ２０６、受信電波のデコードを行うデータ受信手段２０４、送信するデータを送信電波にエンコードするデータ送信手段２０５、ＲＦＩＤタグに対して書込みや読み込み、ＩＤ取得信号を出すように操作装置を制御する制御手段２０３、ＲＦＩＤタグの読み落とし防止情報記憶手段に記憶させるデータを生成する読み落とし防止情報生成手段２０１、ＲＦＩＤタグのＩＤと読み落とし防止情報を基に同一ロットのＲＦＩＤタグの読み落としがないかを判定する読み落とし確認手段２０２を有する。
以下、本実施例の動作について説明する。本発明の方法は、基本的に、出荷時にＲＦＩＤタグ操作装置の読み落とし防止情報生成手段２０１にて、読み落とし防止情報を生成し、物品に取り付けられたＲＦＩＤタグの読み落とし防止情報記憶手段１０６に記憶させるステップと、検品時にＲＦＩＤタグ操作装置の読み落とし確認手段２０２にて、同一ロットの物品に取り付けられたＲＦＩＤタグの読み落としがないかを判別するステップからなる。
図１６は、出荷時にＲＦＩＤタグ操作装置の読み落とし防止情報生成手段２０１にて行われる、読み落とし防止情報を生成してから、物品に取り付けられたＲＦＩＤタグに記憶させるまでの処理ステップを示したフローチャートである。
まず、第１の処理ステップは、制御装置に同一ロットに属する全てのタグのＩＤリスト取得命令を実行させる（ステップＳ１）ことである。本発明の方法では、出荷時の読み取りではロットごとに物品に取り付けられたＲＦＩＤタグを読み込ませ、この時点での読み落としはないものとする。
第２の処理ステップは、取得したタグの全てのＩＤを基にハッシュアルゴリズムを用いて全てのタグのダイジェストとなるハッシュデータを作成する（ステップＳ２）ことである。本発明の方法ではハッシュアルゴリズムの種類に関しては特に限定しない。チェックサムの機能を果たせばよいものとする。
第３の処理ステップとして、制御装置２０３は、同一ロットに属する全てのタグの読み落とし防止情報記憶手段１０６に前記作成されたハッシュデータを記憶させる処理命令を実行させる（ステップＳ３）。
ロットごとに前記ステップＳ１〜Ｓ３の処理を実行することにより、ロットごとに異なるハッシュデータを記憶させることができる。このハッシュデータはロットの識別子として働くだけでなく、検品時に読み落としが起こっているかどうかを判断するのに利用される。
図１７は、検品時にＲＦＩＤタグ操作装置の読み落とし確認手段２０２にて行われる、同一ロットの物品に取り付けられたＲＦＩＤタグの読み落としがないかを判別する処理ステップを説明するためのフローチャートである。
第１の処理ステップとして、制御手段２０３は、全てのタグＩＤと読み落とし防止情報記憶手段１０６に記憶されているハッシュデータの取得命令を実行させる（ステップＳ１０）。
第２の処理ステップとして、取得したそれぞれのタグのＩＤとハッシュデータのペアを要素とするリストＡを作成する（ステップＳ２０）。
第３の処理ステップとして、リストＡから検査を行うロットの識別子となるハッシュデータＨを一つ取得する（ステップＳ３０）。
第４の処理ステップとして、リストＡから取得したハッシュデータと同一のハッシュデータを持つ要素を全てＰＯＰし、ＰＯＰした全ての要素からＩＤを抽出したリストＢを作成する（ステップＳ４０）。
第５の処理ステップとして、リストＢに含まれる全てのＩＤを基にハッシュアルゴリムを用いてリストＢに含まれる全てのタグのダイジェストとなるハッシュデータを作成する（ステップＳ５０）。
第６の処理ステップとして、検査を行うロットのハッシュデータＨと作成したリストＢから作成したハッシュデータを比較する（ステップＳ６０）。
ハッシュデータが等しい場合にはＳ７０へ進み、ハッシュデータが異なる場合にはＳ８０へ進む。
Ｓ７０ではハッシュデータが等しい場合には、検査を行ったロットの物品に取り付けられたＲＦＩＤタグが全て揃っていると判断し、Ｓ９０へ進む。
Ｓ８０ではハッシュデータが異なる場合には、検査を行ったロットの物品に取り付けられたＲＦＩＤタグが全て揃っていないと判断し、Ｓ９０へ進む。
ステップＳ９０では、リストＡが空であれば全てのロットに対して処理をおこなったことになるので終了する。リストＡが空でない場合はまだ検査していないロットが存在するのでステップＳ３０に戻る。
本実施例によれば、複数のロットが存在する検品作業において、どのロットの物品に取り付けられたＲＦＩＤタグを読み落したかを知ることが可能となる。
なお、読み落とし防止情報として同一ロットのタグのＩＤなどの意味のある情報を記憶させることも可能であるが、意味のある情報を記憶させた場合、スキミングをされた際に重要なデータをスキマー盗まれてしまうことになる。しかし、本発明の実施例のようにハッシュデータを読み落とし防止情報として利用することでスキミングを行われた際にも意味のあるデータをスキマーに盗まれなくて済む。
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図１】
2007114520.tif 000003
【図２】
2007114520.tif 000004
【図３】
2007114520.tif 000005
【図４】
2007114520.tif 000006
【図５】
2007114520.tif 000007
【図６】
2007114520.tif 000008
【図７】
2007114520.tif 000009
【図８】
2007114520.tif 000010
【図９】
2007114520.tif 000011
【図１０】
2007114520.tif 000012
【図１１】
2007114520.tif 000013
【図１２】
2007114520.tif 000014
【図１３】
2007114520.tif 000015
【図１４】
2007114520.tif 000016
【図１５】
2007114520.tif 000017
【図１６】
2007114520.tif 000018
【図１７】
2007114520.tif 000019
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
添付対象ごとに添付した電子タグを用いて前記添付対象を管理する電子タグ添付対象管理システムにおいて、前記電子タグそれぞれに連続する番号となるシリアル番号を記録するとともに、前記電子タグの少なくとも１つに、前記添付対象の総数を算出可能なフラグを記録するデータ書き込み装置を備えていることを特徴とする電子タグ添付対象管理システム。
【請求項２】
前記データ書き込み装置が、ハンディ型電子タグリーダ・ライタであることを特徴とする請求項１に記載の電子タグ添付対象管理システム。
【請求項３】
前記データ書き込み装置が、少なくとも１つのアンテナを介して送受信される無線電波を制御する電子タグリーダ・ライタであり、前記少なくとも１つのアンテナが、前記添付対象に添付する電子タグにデータを記録するために、前記添付対象を通過させるゲート機構のアームに上下および／または左右に摺動可能に取り付けられていることを特徴とする請求項１に記載の電子タグ添付対象管理システム。
【請求項４】
前記データ書き込み装置にて前記電子タグに記録された前記シリアル番号と前記フラグとを読み取ることによって、前記添付対象の総数、前記シリアル番号に該当する各添付対象が特定されることを特徴とする請求項３に記載の電子タグ添付対象管理システム。
【請求項５】
前記データ書き込み装置にて前記電子タグに記録されたデータを読み取ることができなかった電子タグが存在していた場合であっても、読み取ることができた前記電子タグに記録された前記シリアル番号と前記フラグとに基づいて前記添付対象の総数を特定することができることを特徴とする請求項４に記載の電子タグ添付対象管理システム。
【請求項６】
前記データ書き込み装置にて前記電子タグに記録されたデータを読み取ることができなかった電子タグが存在していた場合であっても、読み取ることができた前記電子タグに記録された前記シリアル番号と前記フラグとに基づいて、読み取ることができなかった電子タグの個数を特定することができることを特徴とする請求項５に記載の電子タグ添付対象管理システム。
【請求項７】
前記データ書き込み装置にて前記電子タグに記録されたデータを読み取ることができなかった電子タグが存在していた場合であっても、読み取ることができた前記電子タグに記録された前記シリアル番号と前記フラグとに基づいて、読み取ることができなかった電子タグに該当する添付対象を特定することができることを特徴とする請求項６に記載の電子タグ添付対象管理システム。
【請求項８】
前記少なくとも１つのアンテナを介して送受信される無線電波を制御する電子タグリーダ・ライタを有し、前記少なくとも１つのアンテナが、前記添付対象の管理を行うために、該添付対象を通過させるゲート機構のアームに取り付けられていることを特徴とする請求項７に記載の電子タグ添付対象管理システム。
【請求項９】
前記シリアル番号として、１から始まる連続番号が順番に各前記電子タグごとに記録され、前記フラグとして、前記添付対象の総数をすべての前記電子タグに記録されることを特徴とする請求項８に記載の電子タグ添付対象管理システム。
【請求項１０】
前記シリアル番号として、任意の番号から始まる連続番号が順番に各前記電子タグごとに記録され、前記フラグとして、前記添付対象のうち、最初の添付対象に添付する電子タグに最初を示すスタートフラグが記録され、最後の添付対象に添付する電子タグに最後を示すエンドフラグが記録されることを特徴とする請求項８に記載の電子タグ添付対象管理システム。
【請求項１１】
前記シリアル番号として、任意の番号から始まる連続番号が順番に各前記電子タグごとに記録され、前記フラグとして、前記添付対象のうち、最後の添付対象に添付する電子タグに添付対象の総数が記録されることを特徴とする請求項８に記載の電子タグ添付対象管理システム。
【請求項１２】
前記シリアル番号として、１から始まる連続番号が順番に各前記電子タグごとに記録され、前記フラグとして、前記添付対象のうち、最後の添付対象に添付する電子タグに最後を示すエンドフラグが記録されることを特徴とする請求項８に記載の電子タグ添付対象管理システム。
【請求項１３】
前記シリアル番号として、前記添付対象それぞれが存在している行または列ごとに、連続する番号が順番に前記電子タグごとに記録され、前記フラグとして、前期添付対象それぞれが存在している行または列を特定することができる行番号または列番号がさらに記録されることを特徴とする請求項１２に記載の電子タグ添付対象管理システム。
【請求項１４】
添付対象ごとに添付した電子タグを用いて前記添付対象を管理する電子タグ添付対象管理システムにおいて、
第１の読み落とし防止情報を生成し前記電子タグに記憶させる手段と、
前記電子タグから読み出した前記第１の読み落とし防止情報と、前記電子タグから読み出した情報から生成する第２の読み落とし防止情報を比較することにより、読み落としの判別をする手段と、
を備えたデータ書き込み装置を備えることを特徴とする電子タグ添付対象管理システム。
【請求項１５】
前記データ書き込み装置が、
第１の読み落とし防止情報を生成し前記電子タグに記憶させる手段と、
前記電子タグから読み出した前記第１の読み落とし防止情報と、前記電子タグから読み出した情報から生成する第２の読み落とし防止情報を比較することにより、読み落としの判別をする手段
を備えることを特徴とする請求項１に記載の電子タグ添付対象管理システム。
【請求項１６】
前記読み落とし防止情報は、電子タグから読み出した情報からハッシュアルゴリズムで作成したハッシュデータであることを特徴とする請求項１５に記載の電子タグ添付対象管理システム。
【請求項１７】
物品ごとに添付したＲＦＩＤタグを用いて物品を管理する物品管理システムにおいて、前記ＲＦＩＤタグそれぞれに連続する番号となるシリアル番号を記録するとともに、前記ＲＦＩＤタグの少なくとも１つに、物品の管理対象となる物品の総数を算出可能なフラグを記録するデータ書き込み装置を備えていることを特徴とする物品管理システム。
【請求項１８】
前記データ書き込み装置が、ハンディ型ＲＦＩＤタグリーダ・ライタであることを特徴とする請求項１７に記載の物品管理システム。
【請求項１９】
前記データ書き込み装置が、少なくとも１つのアンテナを介して送受信される無線電波を制御するＲＦＩＤタグリーダ・ライタであり、前記少なくとも１つのアンテナが、管理対象の物品に添付するＲＦＩＤタグにデータを記録するために、該物品を通過させるゲート機構のアームに上下および／または左右に摺動可能に取り付けられていることを特徴とする請求項１７に記載の物品管理システム。
【請求項２０】
前記データ書き込み装置にて前記ＲＦＩＤタグに記録された前記シリアル番号と前記フラグとを読み取ることによって、管理対象とする物品の総数、前記シリアル番号に該当する各物品を特定することができることを特徴とする請求項１９に記載の物品管理システム。
【請求項２１】
前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、管理対象とする物品の総数が特定されることを特徴とする請求項２０に記載の物品管理システム。
【請求項２２】
前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグの個数が特定されることを特徴とする請求項２１に記載の物品管理システム。
【請求項２３】
前記物品検品装置において、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグに該当する物品が特定されることを特徴とする請求項２２に記載の物品管理システム。
【請求項２４】
少なくとも１つのアンテナを介して送受信される無線電波を制御するＲＦＩＤタグリーダ・ライタを有し、前記少なくとも１つのアンテナが、管理対象の物品の検品を行うために、該物品を通過させるゲート機構のアームに取り付けられていることを特徴とする請求項２３に記載の物品管理システム。
【請求項２５】
前記シリアル番号として、１から始まる連続番号が順番に各前記ＲＦＩＤタグごとに記録され、前記フラグとして、管理対象の物品の総数がすべての前記ＲＦＩＤタグに記録されることを特徴とする請求項２４に記載の物品管理システム。
【請求項２６】
前記シリアル番号として、任意の番号から始まる連続番号が順番に各前記ＲＦＩＤタグごとに記録され、前記フラグとして、管理対象の物品のうち、最初の物品に添付するＲＦＩＤタグに最初を示すスタートフラグが記録され、最後の物品に添付するＲＦＩＤタグに最後を示すエンドフラグが記録されることを特徴とする請求項２４に記載の物品管理システム。
【請求項２７】
前記シリアル番号として、任意の番号から始まる連続番号が順番に各前記ＲＦＩＤタグごとに記録され、前記フラグとして、管理対象の物品のうち、最後の物品に添付するＲＦＩＤタグに管理対象の物品の総数が記録されることを特徴とする請求項２４に記載の物品管理システム。
【請求項２８】
前記シリアル番号として、１から始まる連続番号が順番に各前記ＲＦＩＤタグごとに記録され、前記フラグとして、管理対象の物品のうち、最後の物品に添付するＲＦＩＤタグに最後を示すエンドフラグが記録されることを特徴とする請求項２４に記載の物品管理システム。
【請求項２９】
前記シリアル番号として、管理対象の物品それぞれが存在している行または列または塊ごとに、連続する番号が順番に各前記ＲＦＩＤタグごとに記録され、前記フラグとして、管理対象の物品それぞれが存在している行または列または塊を特定することができる行番号または列番号または塊番号がさらに記録されることを特徴とする請求項２８に記載の物品管理システム。
【請求項３０】
貸出し対象物品ごとに添付したＲＦＩＤタグを用いて貸出しを管理する貸出し管理システムにおいて、前記ＲＦＩＤタグそれぞれに連続する番号となるシリアル番号を記録するとともに、前記ＲＦＩＤタグの少なくとも１つに、管理対象となる物品の総数を算出可能なフラグを記録するデータ書き込み装置を備えていることを特徴とする貸出し管理システム。
【請求項３１】
前記シリアル番号として、任意の番号から始まる連続番号が順番に各前記ＲＦＩＤタグごとに記録され、前記フラグとして、管理対象の物品のうち、最初の物品に添付するＲＦＩＤタグに最初を示すスタートフラグが記録され、最後の物品に添付するＲＦＩＤタグに最後を示すエンドフラグが記録されることを特徴とする請求項２８に記載の貸出し管理システム。
【請求項３２】
入場者ごとに添付したＲＦＩＤタグを用いて施設における入退出を管理する入退出管理システムにおいて、前記ＲＦＩＤタグそれぞれに連続する番号となるシリアル番号を記録するとともに、管理対象となる物品の総数を算出可能なフラグを記録するデータ書き込み装置を備えていることを特徴とする入退出管理システム。
【請求項３３】
前記シリアル番号として、任意の番号から始まる連続番号が順番に各前記ＲＦＩＤタグごとに記録され、前記フラグとして、管理対象者のうち、最初の入場者に添付するＲＦＩＤタグに最初を示すスタートフラグが記録され、最後の入場者に添付するＲＦＩＤタグに最後を示すエンドフラグが記録されることを特徴とする請求項３２に記載の入退出管理システム。
【請求項３４】
物品ごとに添付したＲＦＩＤタグを用いて物品を管理する物品管理方法において、前記ＲＦＩＤタグそれぞれに連続する番号となるシリアル番号を記録し、前記ＲＦＩＤタグの少なくとも１つに、物品の管理対象となる物品の総数を算出可能なフラグを記録することを特徴とする物品管理方法。
【請求項３５】
前記物品の検品をする際に、前記データ書き込み装置にて前記ＲＦＩＤタグに記録された前記シリアル番号と前記フラグとを読み取ることによって、管理対象とする物品の総数、前記シリアル番号に該当する各物品を特定することができることを特徴とする請求項３４に記載の物品管理方法。
【請求項３６】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、管理対象とする物品の総数を特定することができることを特徴とする請求項３５に記載の物品管理方法。
【請求項３７】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグの個数を特定することができることを特徴とする請求項３６に記載の物品管理方法。
【請求項３８】
前記物品の検品をする際に、前記データ書き込み装置にて前記ＲＦＩＤタグに記録されたデータを読み取ることができなかったＲＦＩＤタグが存在していた場合であっても、読み取ることができた前記ＲＦＩＤタグに記録された前記シリアル番号と前記フラグとに基づいて、読み取ることができなかったＲＦＩＤタグに該当する物品を特定することができることを特徴とする請求項３７に記載の物品管理方法。
【請求項３９】
前記シリアル番号として、１から始まる連続番号を順番に各前記ＲＦＩＤタグごとに記録し、前記フラグとして、管理対象の物品の総数をすべての前記ＲＦＩＤタグに記録することを特徴とする請求項３８に記載の物品管理方法。
【請求項４０】
前記シリアル番号として、任意の番号から始まる連続番号を順番に各前記ＲＦＩＤタグごとに記録し、前記フラグとして、管理対象の物品のうち、最初の物品に添付するＲＦＩＤタグに最初を示すスタートフラグを、最後の物品に添付するＲＦＩＤタグに最後を示すエンドフラグを記録することを特徴とする請求項３８に記載の物品管理方法。
【請求項４１】
前記シリアル番号として、任意の番号から始まる連続番号を順番に各前記ＲＦＩＤタグごとに記録し、前記フラグとして、管理対象の物品のうち、最後の物品に添付するＲＦＩＤタグに管理対象の物品の総数を記録することを特徴とする請求項３８に記載の物品管理方法。
【請求項４２】
前記シリアル番号として、１から始まる連続番号を順番に各前記ＲＦＩＤタグごとに記録し、前記フラグとして、管理対象の物品のうち、最後の物品に添付するＲＦＩＤタグに最後を示すエンドフラグを記録することを特徴とする請求項３８に記載の物品管理方法。
【請求項４３】
前記シリアル番号として、管理対象の物品それぞれが存在している行または列または塊ごとに、連続する番号を順番に各前記ＲＦＩＤタグごとに記録し、前記フラグとして、さらに、管理対象の物品それぞれが存在している行または列または塊を特定することができる行番号または列番号または塊番号を記録することを特徴とする請求項４２に記載の物品管理方法。
【請求項４４】
貸出し対象物品ごとに添付したＲＦＩＤタグを用いて貸出しを管理する貸出し管理方法において、
前記ＲＦＩＤタグそれぞれに連続する番号となるシリアル番号を記録するとともに、前記ＲＦＩＤタグの少なくとも１つに、管理対象となる物品の総数を算出可能なフラグを記録することを特徴とする貸出し管理方法。
【請求項４５】
前記シリアル番号として、任意の番号から始まる連続番号を順番に各前記ＲＦＩＤタグごとに記録し、前記フラグとして、管理対象の物品のうち、最初の物品に添付するＲＦＩＤタグに最初を示すスタートフラグを、最後の物品に添付するＲＦＩＤタグに最後を示すエンドフラグを記録することを特徴とする請求項４３に記載の貸出し管理方法。
【請求項４６】
入場者ごとに添付したＲＦＩＤタグを用いて施設における入退出を管理する入退出管理方法において、
前記ＲＦＩＤタグそれぞれに連続する番号となるシリアル番号を記録するとともに、管理対象となる物品の総数を算出可能なフラグを記録することを特徴とする入退出管理方法。
【請求項４７】
前記シリアル番号として、任意の番号から始まる連続番号を順番に各前記ＲＦＩＤタグごとに記録し、前記フラグとして、管理対象者のうち、最初の入場者に添付するＲＦＩＤタグに最初を示すスタートフラグを、最後の入場者に添付するＲＦＩＤタグに最後を示すエンドフラグを記録することを特徴とする請求項４６に記載の入退出管理方法。
【請求項４８】
読み落とし防止情報を生成する第１のステップと、
前記生成した読み落とし防止情報を検品対象物に取り付けられたＲＦＩＤタグに記憶させる第２のステップと、
同一ロットに属する全てのタグＩＤと前記記憶された読み落とし防止情報のペアをロットごとに取得する第３のステップと、
前記取得した全てのタグＩＤと前記取得された読み落とし防止情報のペアを要素とする第１のリストを作成する第４のステップと、
前記第１のリストから読み落とし防止情報を一つ取得する第５のステップと、
当該取得した読み落とし防止情報と同一の読み落とし防止情報を持つ要素を前記第１のリストから抽出し、抽出した読み落とし防止情報とペアであるタグＩＤを要素とする第２のリストを作成する第６のステップと、
前記第２のリストを基に読み落とし防止情報を算出する第７のステップと、
前記取得された読み落とし防止情報と前記算出された読み落とし防止情報を比較照合し、同じであれば第２のリストに記憶されたタグ、割り当てられたロットの物品が全て揃っていると判断する第８のステップ
を有することを特徴とする読み落とし防止方法。
【請求項４９】
前記第５のステップから前記第８のステップまでの処理を、前記第１のリストに格納されている要素が全てなくなるまで繰り返し行なうことを特徴とする請求項４８記載の読み落とし防止方法。
【請求項５０】
所定数の単位で使用される電子タグであって、前記電子タグが前記所定数存在するか否かを識別する第１の情報を保持する第１の記憶部を有することを特徴とする電子タグ。
【請求項５１】
第１の情報は所定数の電子タグのＩＤから生成したハッシュデータであることを特徴とする請求項５０記載の電子タグ。
【請求項５２】
電子タグを識別する第２の情報を保持する第２の記憶部を更に有することを特徴とする請求項５０記載の電子タグ。
【請求項５３】
第２の情報は所定数の電子タグの各々に設定される所定の番号から始まる連続番号であり、第１の情報は前記所定数であることを特徴とする請求項５２記載の電子タグ。
【請求項５４】
第２の情報は所定数の電子タグの各々に設定される所定の番号から始まる連続番号であり、前記所定数の電子タグの最後の電子タグの前記第１の情報がエンドフラグであることを特徴とする請求項５２記載の電子タグ。
【請求項５５】
第２の情報は所定数の電子タグの各々に設定される任意の番号から始まる連続番号であり、前記所定数の電子タグの最初の電子タグの第１の情報がスタートフラグであり、最後の電子タグの前記第１の情報がエンドフラグであることを特徴とする請求項６２記載の電子タグ。
【請求項５６】
第２の情報は所定数の電子タグの各々に設定される任意の番号から始まる連続番号であり、前記所定数の電子タグの最後の電子タグの第１の情報が所定数であることを特徴とする請求項５２記載の電子タグ。
【請求項５７】
第２の情報は所定数の電子タグの添付対象が存在する行または列ごとの連続番号であり、第１の情報は前記所定数の電子タグの添付対象が存在する行または列を識別する情報であることを特徴とする請求項５２記載の電子タグ。
【請求項５８】
所定数の電子タグのＩＤから生成したハッシュ値を記憶する第３の記憶部を有することを特徴とする請求項５７に記載の電子タグ。
【国際調査報告】
2007114520.tif 000020
2007114520.tif 000021
2007114520.tif 000022
2007114520.tif 000023